(57)【要約】【課題】テレビ画面を遠隔操作で自動に左右回転させて、視聴者に実時間で最適の画面位置を提供すると共に、画面回転の自動調節を迅速で簡便に行えるようにし、左右回転動作のための構造を単純化し、製造工程での作業能率の向上と費用節減を図る壁掛け型テレビの画面位置調節装置を提供すること。【解決手段】壁面に設置されてテレビを左右回転可能に支持する支持板１０と、支持板１０に設置されてテレビを左右に回転させる左右回転部２０と、前面にテレビが装着され、背面に左右回転部２０が結合されるテレビ装着板３０を設ける。左右回転部２０はモーター２１、ギア部２２、２３、回転軸２４、２５を含み、各回転軸は、テレビ装着板３０と連結されるコネクター２４ａ、２５ａを備える。モーター２１の駆動力がギア部２２、２３を介して各回転軸２４、２５のコネクター２４ａ、２５ａに伝達されることでテレビ装着板３０が左右方向にて傾動される構成とした。【選択図】図１
2007267383.tif 000002
【特許請求の範囲】
【請求項１】
壁面に設置され、テレビジョン装置を左右回転可能に支持する支持板（１０）と、該支持板（１０）に設置されてテレビジョン装置を左右に回転させる左右回転部（２０）と、前面にテレビジョン装置が装着され、その背面に前記左右回転部（２０）が結合されるテレビ装着板（３０）と、を含んで構成される壁掛け型テレビの画面位置調節装置であって、
前記左右回転部（２０）は、
前記支持板（１０）に固定設置され、上下端部にそれぞれ駆動軸（２１ａ、２１ｂ）が設けられている左右回転用モーター（２１）と、
前記左右回転用モーター（２１）の各駆動軸（２１ａ、２１ｂ）と連結されて、これら駆動軸（２１ａ、２１ｂ）の回転によって反対方向に同じ長さで駆動され、その先端部に連結リンク（２２ａ、２３ａ）がそれぞれ設置されているギア部（２２、２３）と、
前記ギア部（２２）の連結リンク（２２ａ）と一体に結合され、前記支持板（１０）の一部に回転可能に設置されると共に、前記テレビ装着板（３０）の上下端部と連結される一対のコネクター（２４ａ）を備える第１回転軸（２４）と、
前記ギア部（２３）の連結リンク（２３ａ）と一体に結合され、前記第１回転軸（２４）とは反対側である、前記支持板（１０）の他端側において回転可能に設置されると共に、前記テレビ装着板（３０）の上下端部と連結される一対のコネクター（２５ａ）を備える第２回転軸（２５）と、を含んで構成されることを特徴とする壁掛け型テレビの画面位置調節装置。
【請求項２】
前記ギア部（２２、２３）は、
前記各駆動軸（２１ａ、２１ｂ）と噛み合って、これら駆動軸（２１ａ、２１ｂ）に対して直角方向において回転されるロッドスクリュー（２２ｂ、２３ｂ）と、
前記ロッドスクリュー（２２ｂ、２３ｂ）とねじ結合され、これらロッドスクリュー（２２ｂ、２３ｂ）の回転によって左右に移動されて前記連結リンク（２２ａ、２３ａ）を介して第１回転軸（２４）、第２回転軸（２５）をそれぞれ軸回転させるスクリューハウジング（２２ｃ、２３ｃ）と、からなることを特徴とする請求項１に記載の壁掛け型テレビの画面位置調節装置。
【請求項３】
前記駆動軸（２１ａ、２１ｂ）と前記ロッドスクリュー（２２ｂ、２３ｂ）は、互いにウォームギア方式で噛み合っていることを特徴とする請求項２に記載の壁掛け型テレビの画面位置調節装置。
【請求項４】
前記駆動軸（２１ａ、２１ｂ）と前記ロッドスクリュー（２２ｂ、２３ｂ）を取り囲むギアボックス（２２ｄ、２３ｄ）をさらに備え、これらギアボックス（２２ｄ、２３ｄ）を支持するために、前記支持板（１０）の上にギアボックス支持棒（１１ａ、１１ｂ）が設置されていることを特徴とする請求項３に記載の壁掛け型テレビの画面位置調節装置。
【請求項５】
壁面に設置され、テレビジョン装置を左右回転可能に支持する支持板（１１０）と、該支持板（１１０）に設置されてテレビジョン装置を左右に回転させる左右回転部（１２０）と、前面にテレビジョン装置が装着され、その背面に前記左右回転部（１２０）が結合されるテレビ装着板（１３０）と、を含んで構成される壁掛け型テレビの画面位置調節装置であって、
前記テレビ装着板（１３０）の背面の上端部が、前記支持板（１１０）に対して左右回転可能となるように前記支持板（１１０）のヒンジコネクター（１１１）とヒンジ結合されると共に、前記テレビ装着板（１３０）の背面の下端部が前記左右回転部（１２０）に結合されており、
前記左右回転部（１２０）は、
前記支持板（１１０）に固定設置され、上下端部にそれぞれ駆動軸（１２１ａ、１２１ｂ）が設けられている左右回転用モーター（１２１）と、
前記左右回転用モーター（１２１）の各駆動軸（１２１ａ、１２１ｂ）と連結されて、これら駆動軸（１２１ａ、１２１ｂ）の回転によって反対方向に同じ長さで駆動され、その先端部に連結リンク（１２２ａ、１２３ａ）がそれぞれ設置されているギア部（１２２、１２３）と、
前記ギア部（１２２）の連結リンク（１２２ａ）と一体に結合され、前記支持板（１１０）の下部側において回転可能に設置され、前記テレビ装着板（１３０）の下端部と連結されるコネクター（１２４ａ）を備える第１回転軸（１２４）と、
前記ギア部（１２３）の連結リンク（１２３ａ）と一体に結合され、前記第１回転軸（１２４）とは反対側である、前記支持板（１１０）の他端側において回転可能に設置され、前記テレビ装着板（１３０）の下端部と連結されるコネクター（１２５ａ）を備える第２回転軸（１２５）と、を含んで構成されることを特徴とする壁掛け型テレビの画面位置調節装置。
【請求項６】
前記ギア部（１２２、１２３）は、
前記各駆動軸（１２１ａ、１２１ｂ）と噛み合って、これら駆動軸（１２１ａ、１２１ｂ）に対して直角方向において回転されるロッドスクリュー（１２２ｂ、１２３ｂ）と、
前記ロッドスクリュー（１２２ｂ、１２３ｂ）とねじ結合され、これらロッドスクリュー（１２２ｂ、１２３ｂ）の回転によって左右に移動されて前記連結リンク（１２２ａ、１２３ａ）を介して第１回転軸（１２４）、第２回転軸（１２５）をそれぞれ軸回転させるスクリューハウジング（１２２ｃ、１２３ｃ）と、からなることを特徴とする請求項５に記載の壁掛け型テレビの画面位置調節装置。
【請求項７】
前記駆動軸（１２１ａ、１２１ｂ）と前記ロッドスクリュー（１２２ｂ、１２３ｂ）は、互いにウォームギア方式で噛み合っていることを特徴とする請求項６に記載の壁掛け型テレビの画面位置調節装置。
【請求項８】
前記駆動軸（１２１ａ、１２１ｂ）と前記ロッドスクリュー（１２２ｂ、１２３ｂ）を取り囲むギアボックス（１２２ｄ、１２３ｄ）をさらに備え、これらギアボックス（１２２ｄ、１２３ｄ）を支持するために、前記支持板（１１０）の上にギアボックス支持棒（１１３ａ、１１３ｂ）が設置されていることを特徴とする請求項７に記載の壁掛け型テレビの画面位置調節装置。
【請求項９】
前記支持板（１１０）の下部中央に、前記左右回転用モーター（１２１）を取り囲んで支持するためのモーター支持ブラケット（１１２）が設けられていることを特徴とする請求項５に記載の壁掛け型テレビの画面位置調節装置。
【請求項１０】
前記モーター支持ブラケット（１１２）の中央部には支持ピン掛け金具（１１２ａ）が設置され、これに対応する前記テレビ装着板（１３０）の背面の下端中央部には、前記支持ピン掛け金具（１１２ａ）に安着されて、前記左右回転部（１２０）の作動時に、前記テレビ装着板（１３０）を安定的に左右回転させるために回転支持ピン（１３４）が設置されていることを特徴とする請求項９に記載の壁掛け型テレビの画面位置調節装置。
【請求項１１】
前記支持板（１１０）のヒンジコネクター（１１１）及び前記左右回転部（１２０）の各コネクター（１２４ａ、１２５ａ）に対応する前記テレビ装着板（１３０）のコネクター連結部（１３１、１３２、１３３）は、左右回転を容易にするボールジョイントからなることを特徴とする請求項５に記載の壁掛け型テレビの画面位置調節装置。
【請求項１２】
前記支持板（１１０）のヒンジコネクター（１１１）と連結される前記テレビ装着板（１３０）のヒンジ連結部（１３３）には、前記ボールジョイントを取り囲んで左右にスライド可能とするガイドソケット（１３３ａ）がさらに設けられていることを特徴とする請求項１１に記載の壁掛け型テレビの画面位置調節装置。
【請求項１３】
壁面に設置され、テレビジョン装置を左右回転可能に支持する支持板（２１０）と、該支持板（２１０）に設置されてテレビジョン装置を左右に回転させる左右回転部（２２０）と、前面にテレビジョン装置が装着され、その背面に前記左右回転部（２２０）が結合されるテレビ装着板（２３０）と、を含んで構成される壁掛け型テレビの画面位置調節装置であって、
前記テレビ装着板（２３０）の背面の上端部が、前記支持板（２１０）に対して左右回転可能となるように前記支持板（２１０）のヒンジコネクター（２１１）とヒンジ結合されると共に、前記テレビ装着板（２３０）の背面の下端部が前記左右回転部（２２０）に結合され、
前記左右回転部（２２０）は、
前記支持板（２１０）に固定設置され、それぞれ駆動軸（２２１ａ、２２１ａ´）が設けられている一対の左右回転用モーター（２２１、２２１´）と、
前記一対の左右回転用モーター（２２１、２２１´）の各駆動軸（２２１ａ、２２１ａ´）と連結されて、これら駆動軸（２２１ａ、２２１ａ´）の回転によって反対方向に同じ長さで駆動され、その先端部に連結リンク（２２２ａ、２２３ａ）がそれぞれ設置されているギア部（２２２、２２３）と、
前記ギア部（２２２）の連結リンク（２２２ａ）と一体に結合され、前記支持板（２１０）の下部側において回転可能に設置され、前記テレビ装着板（２３０）の下端部と連結されるコネクター（２２４ａ）を備える第１回転軸（２２４）と、
前記ギア部（２２３）の連結リンク（２２３ａ）と一体に結合され、前記第１回転軸（２２４）とは反対側である、前記支持板（２１０）の他端側において回転可能に設置され、前記テレビ装着板（２３０）の下端部と連結されるコネクター（２２５ａ）を備える第２回転軸（２２５）と、を含んで構成されることを特徴とする壁掛け型テレビの画面位置調節装置。
【請求項１４】
前記ギア部（２２２、２２３）は、
前記各駆動軸（２２１ａ、２２１ａ´）と噛み合って、これら駆動軸（２２１ａ、２２１ａ´）に対して直角方向において軸回転されるロッドスクリュー（２２２ｂ、２２３ｂ）と、
前記ロッドスクリュー（２２２ｂ、２２３ｂ）とねじ結合され、これらロッドスクリュー（２２２ｂ、２２３ｂ）の回転によって左右に移動されて前記連結リンク（２２２ａ、２２３ａ）を介して第１回転軸（２２４）、第２回転軸（２２５）をそれぞれ軸回転させるスクリューハウジング（２２２ｃ、２２３ｃ）と、からなることを特徴とする請求項１３に記載の壁掛け型テレビの画面位置調節装置。
【請求項１５】
前記駆動軸（２２１ａ、２２１ａ´）と前記ロッドスクリュー（２２２ｂ、２２３ｂ）は、互いにウォームギア方式で噛み合っていることを特徴とする請求項１４に記載の壁掛け型テレビの画面位置調節装置。
【請求項１６】
前記駆動軸（２２１ａ、２２１ａ´）と前記ロッドスクリュー（２２２ｂ、２２３ｂ）を取り囲むギアボックス（２２２ｄ、２２３ｄ）をさらに備え、これらギアボックス（２２２ｄ、２２３ｄ）を支持するために、前記支持板（２１０）の上にギアボックス支持棒（２１３ａ、２１３ｂ）が設置されていることを特徴とする請求項１５に記載の壁掛け型テレビの画面位置調節装置。
【請求項１７】
前記支持板（２１０）の下部中央に、一対の左右回転用モーター（２２１、２２１´）を取り囲んで支持するためのモーター支持ブラケット（２１２）が設けられていることを特徴とする請求項１３に記載の壁掛け型テレビの画面位置調節装置。
【請求項１８】
前記モーター支持ブラケット（２１２）の中央部には支持ピン掛け金具（２１２ａ）が設置され、これに対応する前記テレビ装着板（２３０）の背面の下端中央部には、前記支持ピン掛け金具（２１２ａ）に安着されて、前記左右回転部（２２０）の作動時に、前記テレビ装着板（２３０）を安定的に左右回転させるために回転支持ピン（２３４）が設置されていることを特徴とする請求項１７に記載の壁掛け型テレビの画面位置調節装置。
【請求項１９】
前記支持板（２１０）のヒンジコネクター（２１１）及び前記左右回転部（２２０）の各コネクター（２２４ａ、２２５ａ）に対応する前記テレビ装着板（２３０）のコネクター連結部（２３１、２３２、２３３）は、左右回転を容易にするボールジョイントからなっていることを特徴とする請求項１３に記載の壁掛け型テレビの画面位置調節装置。
【請求項２０】
前記支持板（２１０）のヒンジコネクター（２１１）と連結される前記テレビ装着板（２３０）のヒンジ連結部（２３３）には、前記ボールジョイントを取り囲んで左右にスライド可能とするガイドソケット（２３３ａ）がさらに設けられていることを特徴とする請求項１９に記載の壁掛け型テレビの画面位置調節装置。
【請求項２１】
壁面に設置され、テレビジョン装置を左右回転可能に支持する支持板（３１０）と、該支持板（３１０）に設置されてテレビジョン装置を左右に回転させる左右回転部（３２０）と、前面にテレビジョン装置が装着され、その背面に前記左右回転部（３２０）が結合されるテレビ装着板（３３０）と、を含んで構成される壁掛け型テレビの画面位置調節装置であって、
前記左右回転部（３２０）は、
前記支持板（３１０）にそれぞれ固定設置され、駆動軸（３２１ａ、３２２ａ、３２３ａ、３２４ａ）がそれぞれ設けられている左右回転用モーター（３２１、３２２、３２３、３２４）と、
前記左右回転用モーター（３２１、３２２、３２３、３２４）の各駆動軸（３２１ａ、３２２ａ、３２３ａ、３２４ａ）と連結されて、これら駆動軸（３２１ａ、３２２ａ、３２３ａ、３２４ａ）の回転によってそれぞれ同じ長さで駆動され、その先端部に連結リンク（３２１ｂ１、３２２ｂ１、３２３ｂ１、３２４ｂ１）が設置されているギア部（３２１ｂ、３２２ｂ、３２３ｂ、３２４ｂ）と、
前記ギア部（３２１ｂ、３２２ｂ、３２３ｂ、３２４ｂ）の連結リンク（３２１ｂ１、３２２ｂ１、３２３ｂ１、３２４ｂ１）と一体に結合され、前記支持板（３１０）の軸回転支持部（３１１、３１２、３１３、３１４）において回転可能に設置され、外周面には、前記テレビ装着板（３３０）において対応する部位と連結されるコネクター（３２１ｄ、３２２ｄ、３２３ｄ、３２４ｄ）を備える回転軸（３２１ｃ、３２２ｃ、３２３ｃ、３２４ｃ）と、を含んで構成されることを特徴とする壁掛け型テレビの画面位置調節装置。
【請求項２２】
前記ギア部（３２１ｂ、３２２ｂ、３２３ｂ、３２４ｂ）は、
前記各駆動軸（３２１ａ、３２２ａ、３２３ａ、３２４ａ）と噛み合って、これら駆動軸（３２１ａ、３２２ａ、３２３ａ、３２４ａ）に対して直角方向において回転されるロッドスクリュー（３２１ｂ２、３２２ｂ２、３２３ｂ２、３２４ｂ２）と、
前記ロッドスクリュー（３２１ｂ２、３２２ｂ２、３２３ｂ２、３２４ｂ２）とねじ結合され、これらロッドスクリュー（３２１ｂ２、３２２ｂ２、３２３ｂ２、３２４ｂ２）の回転によって左右に移動されて前記連結リンク（３２１ｂ１、３２２ｂ１、３２３ｂ１、３２４ｂ１）を介して回転軸（３２１ｃ、３２２ｃ、３２３ｃ、３２４ｃ）をそれぞれ軸回転させるスクリューハウジング（３２１ｂ３、３２２ｂ３、３２３ｂ３、３２４ｂ３）と、からなることを特徴とする請求項２１に記載の壁掛け型テレビの画面位置調節装置。
【請求項２３】
前記駆動軸（３２１ａ、３２２ａ、３２３ａ、３２４ａ）と前記ロッドスクリュー（３２１ｂ２、３２２ｂ２、３２３ｂ２、３２４ｂ２）は、互いにウォームギア方式で噛み合っていることを特徴とする請求項２２に記載の壁掛け型テレビの画面位置調節装置。
【請求項２４】
前記駆動軸（３２１ａ、３２２ａ、３２３ａ、３２４ａ）と前記ロッドスクリュー（３２１ｂ２、３２２ｂ２、３２３ｂ２、３２４ｂ２）を取り囲むギアボックス（３２１ｂ４、３２２ｂ４、３２３ｂ４、３２４ｂ４）をさらに備え、これらギアボックス（３２１ｂ４、３２２ｂ４、３２３ｂ４、３２４ｂ４）を支持するために、前記支持板（３１０）の上にギアボックス支持棒（３１０ａ、３１０ｂ、３１０ｃ、３１０ｄ）が設置されていることを特徴とする請求項２３に記載の壁掛け型テレビの画面位置調節装置。
【請求項２５】
壁面に設置され、テレビション装置を左右回転可能に支持する支持板（４１０）と、該支持板（４１０）に設置されてテレビジョン装置を左右に回転させる左右回転部（４２０）と、前面にテレビジョン装置が装着され、その背面に前記左右回転部（４２０）が結合されるテレビ装着板（４３０）と、を含んで構成される壁掛け型テレビの画面位置調節装置であって、
前記テレビ装着板（４３０）の幅方向の一端部がヒンジ結合され、その幅方向の他端部に前記左右回転部（４２０）が設置されており、
前記左右回転部（４２０）は、
前記支持板（４１０）にて並列に固定設置され、それぞれ上下端部に突出されている駆動軸（４２１ａ、４２５ａ）を有する左右回転用モーター（４２１、４２５）と、
前記左右回転用モーター（４２１、４２５）の駆動軸（４２１ａ、４２５ａ）と連結されて、これら駆動軸（４２１ａ、４２５ａ）の回転によって所定の長さで駆動され、その先端部に連結リンク（４２２ａ、４２６ａ）が設置されているギア部（４２２、４２６）と、
前記ギア部（４２２、４２６）の連結リンク（４２２ａ、４２６ａ）と一体に結合され、前記支持板（４１０）の上下端部にそれぞれ回転可能に設置されて、前記テレビ装着板（４３０）の上下端部と連結されるコネクター（４２４ａ、４２８ａ）を備える回転軸（４２４、４２８）と、を含んで構成されることを特徴とする壁掛け型テレビの画面位置調節装置。
【請求項２６】
前記ギア部（４２２、４２６）は、
前記駆動軸（４２１ａ、４２５ａ）と噛み合って、これら駆動軸（４２１ａ、４２５ａ）に対して直角方向において回転されるロッドスクリュー（４２２ｂ、４２６ｂ）と、
前記ロッドスクリュー（４２２ｂ、４２６ｂ）とねじ結合され、このロッドスクリュー（４２２ｂ、４２６ｂ）の回転によって左右に移動されて前記連結リンク（４２２ａ、４２６ａ）を介してそれぞれの回転軸（４２４、４２８）を軸回転させるスクリューハウジング（４２２ｃ、４２６ｃ）と、からなることを特徴とする請求項２５に記載の壁掛け型テレビの画面位置調節装置。
【請求項２７】
前記駆動軸（４２１ａ、４２５ａ）と前記ロッドスクリュー（４２２ｂ、４２６ｂ）は、互いにウォームギア方式で噛み合っていることを特徴とする請求項２６に記載の壁掛け型テレビの画面位置調節装置。
【請求項２８】
前記駆動軸（４２１ａ、４２５ａ）と前記ロッドスクリュー（４２２ｂ、４２６ｂ）を取り囲むギアボックス（４２２ｄ、４２６ｄ）をさらに備え、このギアボックス（４２２ｄ、４２６ｄ）を支持するために、前記支持板（４１０）の上にギアボックス支持棒（４１１ａ、４１１ｂ）が設置されていることを特徴とする請求項２７に記載の壁掛け型テレビの画面位置調節装置。
【請求項２９】
壁面に設置され、テレビジョン装置を左右回転可能に支持する支持板（５１０）と、該支持板（５１０）に設置されるテレビジョン装置を左右に回転させる左右回転部（５２０）と、前面にテレビジョン装置が装着され、その背面に前記左右回転部（５２０）が結合されるテレビ装着板（５３０）と、を含んで構成される壁掛け型テレビの画面位置調節装置であって、
前記左右回転部（５２０）は、
前記支持板（５１０）に固定設置され、一端部に駆動軸（５２１ａ）が設置されている左右回転用モーター（５２１）と、
前記左右回転用モーター（５２１）の駆動軸（５２１ａ）と連結されて、この駆動軸（５２１ａ）の回転に連動し、その先端部に連結リンク（５２２ａ）が設置されているギア部（５２２）と、
前記ギア部（５２２）の連結リンク（５２２ａ）と一体に結合され、前記支持板（５１０）の一端側において回転可能に設置され、一端部に前記テレビ装着板（５３０）と連結されるコネクター（５２３ａ）を備える第１回転軸（５２３）と、
前記第１回転軸（５２３）と対称的な形状を有し、かつ前記第１回転軸（５２３）とは反対側である前記支持板（５１０）の他端側において回転可能に設置される第２回転軸（５２４）と、
前記第１回転軸（５２３）と前記第２回転軸（５２４）とを連結し、これら第１回転軸（５２３）と第２回転軸（５２４）とを互いに連動させるための連動リンク（５２５）と、を含んで構成されることを特徴とする壁掛け型テレビの画面位置調節装置。
【請求項３０】
前記ギア部（５２２）は、
前記駆動軸（５２１ａ）と噛み合って、この駆動軸（５２１ａ）に対して直角方向において回転されるロッドスクリュー（５２２ｂ）と、
前記ロッドスクリュー（５２２ｂ）とねじ結合され、このロッドスクリュー（５２２ｂ）の回転によって左右に移動されて前記連結リンク（５２２ａ）を回転させるスクリューハウジング（５２２ｃ）と、からなることを特徴とする請求項２９に記載の壁掛け型テレビの画面位置調節装置。
【請求項３１】
前記駆動軸（５２１ａ）と前記ロッドスクリュー（５２２ｂ）は、互いにウォームギア方式で噛み合っていることを特徴とする請求項３０に記載の壁掛け型テレビの画面位置調節装置。
【請求項３２】
前記連動リンク（５２５）は、
前記第１回転軸（５２３）と前記第２回転軸（５２４）との離隔距離と同じ長さを有する連結バー（５２５ａ）と、
前記連結バー（５２５ａ）の両端部からそれぞれ直角に延長され、その一端部が前記連結バー（５２５ａ）とヒンジ連結され、その他端部が前記第１回転軸（５２３）、前記第２回転軸（５２４）とそれぞれ一体に結合される連結片（５２５ｂ）と、からなることを特徴とする請求項２９に記載の壁掛け型テレビの画面位置調節装置。
【発明の詳細な説明】
【技術分野】
【０００１】
本発明は、壁掛け型テレビの画面位置調節装置に関し、より詳細には視聴者の位置に応じて、テレビ画面を遠隔操作で自動に左右回転（スイベル）操作することで、視聴者に実時間で最適な画面位置を提供すると共に、自動化によって画面回転の調節を迅速で簡便に行えるようにし、またテレビの左右回転動作を行うための構造を単純化することで、製造工程において作業能率の向上及び費用の節減を図ることができる、壁掛け型テレビの画面位置調節装置に関する。
【背景技術】
【０００２】
一般的に大型液晶表示装置及びプラズマ表示パネルを採用したテレビの大型化によって、室内で空間を容易に確保し、視聴者が視聴するのに最適な角度にテレビを位置させるための選択肢として、テレビを壁面に設置するようにした壁掛け型テレビが普及しつつある。
【０００３】
このような壁掛け型テレビを壁面に設置する時には、ボルト等の締結手段を使用して壁面に付着式で固定設置するか、又は回転用ブラケットを壁面に予め設置した後、このブラケットの前面にテレビを装着して手動でテレビの画面位置を左右に調節する方式が主に使用されている。
【発明の開示】
【発明が解決しようとする課題】
【０００４】
しかしながら、このような従来の技術のテレビ設置方式の中で、ボルト等の締結手段を使用した付着式は、視聴者の目の角度（視線）に合うようにテレビの画面位置を調節することが不可能である。またブラケットを使用した設置方式は、テレビの画面回転を調節することはできるが、視聴者が直接に手動でテレビの画面位置を調節しなければならないという煩わしさがある。
【０００５】
本発明は、上述の問題点を解決するためになされたもので、テレビの画面を遠隔で自動に左右回転操作することで、視聴者に実時間で最適な画面位置を提供すると共に、自動化によって画面回転の調節を迅速で簡便に行えるようになり、またテレビの左右回転動作を行うための構造を単純化することで、製造工程において作業能率の向上及び費用の節減を図ることができる、壁掛け型テレビの画面位置調節装置を提供することを目的とする。
【課題を解決するための手段】
【０００６】
上記の目的を達成するために、本発明の第１実施例による壁掛け型テレビの画面位置調節装置は、壁面に設置され、テレビジョン装置を左右回転可能に支持する支持板と、該支持板に設置されてテレビジョン装置を左右に回転させる左右回転部と、前面にテレビジョン装置が装着され、その背面に前記左右回転部が結合されるテレビ装着板と、を含んで構成される壁掛け型テレビの画面位置調節装置であって、前記左右回転部は、前記支持板に固定設置され、上下端部にそれぞれ駆動軸が設けられている左右回転用モーターと、前記左右回転用モーターの各駆動軸と連結されて、これら駆動軸の回転によって反対方向に同じ長さで駆動され、その先端部に連結リンクがそれぞれ設置されているギア部と、前記ギア部の連結リンクと一体に結合され、前記支持板の一部に回転可能に設置されると共に、前記テレビ装着板の上下端部と連結される一対のコネクターを備える第１回転軸と、前記ギア部の連結リンクと一体に結合され、前記第１回転軸とは反対側である、前記支持板の他端側において回転可能に設置されると共に、前記テレビ装着板の上下端部と連結される一対のコネクターを備える第２回転軸と、を含んで構成される。
【０００７】
また、本発明の第１実施例による壁掛け型テレビの画面位置調節装置において、前記ギア部は、各駆動軸と噛み合って、これら駆動軸に対して直角方向において回転されるロッドスクリューと、前記ロッドスクリューとねじ結合され、これらロッドスクリューの回転によって左右に移動されて前記連結リンクを介して第１回転軸、第２回転軸をそれぞれ軸回転させるスクリューハウジングと、からなることが望ましい。
【０００８】
また、本発明の第１実施例による壁掛け型テレビの画面位置調節装置において、前記駆動軸と前記ロッドスクリューは、互いにウォームギア方式で噛み合っていることが望ましい。
【０００９】
また、本発明の第１実施例による壁掛け型テレビの画面位置調節装置において、前記駆動軸とロッドスクリューを取り囲むギアボックスをさらに備え、これらギアボックスを支持するために、前記支持板の上にギアボックス支持棒を設置することが望ましい。
【００１０】
上記の目的を達成するために、本発明の第２実施例による壁掛け型テレビの画面位置調節装置は、壁面に設置され、テレビジョン装置を左右回転可能に支持する支持板と、該支持板に設置されてテレビジョン装置を左右に回転させる左右回転部と、前面にテレビジョン装置が装着され、その背面に前記左右回転部が結合されるテレビ装着板と、を含んで構成される壁掛け型テレビの画面位置調節装置であって、前記テレビ装着板の背面の上端部が、前記支持板に対して左右回転可能となるように前記支持板のヒンジコネクターとヒンジ結合されると共に、前記テレビ装着板の背面の下端部が前記左右回転部に結合されており、前記左右回転部は、前記支持板に固定設置され、上下端部にそれぞれ駆動軸が設けられている左右回転用モーターと、前記左右回転用モーターの各駆動軸と連結されて、これら駆動軸の回転によって反対方向に同じ長さで駆動され、その先端部に連結リンクがそれぞれ設置されているギア部と、前記ギア部の連結リンクと一体に結合され、前記支持板の下部側において回転可能に設置され、前記テレビ装着板の下端部と連結されるコネクターを備える第１回転軸と、前記ギア部の連結リンクと一体に結合され、前記第１回転軸とは反対側である、前記支持板の他端側において回転可能に設置され、前記テレビ装着板の下端部と連結されるコネクターを備える第２回転軸と、を含んで構成される。
【００１１】
また、本発明の第２実施例による壁掛け型テレビの画面位置調節装置において、前記ギア部は、各駆動軸と噛み合って、これら駆動軸に対して直角方向において回転されるロッドスクリューと、前記ロッドスクリューとねじ結合され、これらロッドスクリューの回転によって左右に移動されて前記連結リンクを介して第１回転軸、第２回転軸をそれぞれ軸回転させるスクリューハウジングと、からなることが望ましい。
【００１２】
また、本発明の第２実施例による壁掛け型テレビの画面位置調節装置において、前記駆動軸と前記ロッドスクリューは、互いにウォームギア方式で噛み合っていることが望ましい。
【００１３】
また、本発明の第２実施例による壁掛け型テレビの画面位置調節装置において、前記駆動軸と前記ロッドスクリューを取り囲むギアボックスをさらに備え、これらギアボックスを支持するために、前記支持板の上にギアボックス支持棒が設置されていることが望ましい。
【００１４】
また、本発明の第２実施例による壁掛け型テレビの画面位置調節装置において、前記支持板の下部中央に左右回転用モーターを取り囲んで支持するためのモーター支持ブラケットが設けられていることが望ましい。
【００１５】
また、本発明の第２実施例による壁掛け型テレビの画面位置調節装置において、前記モーター支持ブラケットの中央部には支持ピン掛け金具が設置され、これに対応する前記テレビ装着板の背面の下端中央部には、前記支持ピン掛け金具に安着されて、前記左右回転部の作動時に、前記テレビ装着板を安定的に左右回転させるために回転支持ピンが設置されていることが望ましい。
【００１６】
また、本発明の第２実施例による壁掛け型テレビの画面位置調節装置において、前記支持板のヒンジコネクター及び左右回転部の各コネクターに対応する前記テレビ装着板のコネクター連結部は、左右回転を容易にするボールジョイントからなることが望ましい。
【００１７】
また、本発明の第２実施例による壁掛け型テレビの画面位置調節装置において、前記支持板のヒンジコネクターと連結される前記テレビ装着板のヒンジ連結部には、前記ボールジョイントを取り囲んで左右にスライド可能とするガイドソケットがさらに設けられていることが望ましい。
【００１８】
上記の目的を達成するために、本発明の第３実施例による壁掛け型テレビの画面位置調節装置は、壁面に設置され、テレビジョン装置を左右回転可能に支持する支持板と、該支持板に設置されてテレビジョン装置を左右に回転させる左右回転部と、前面にテレビジョン装置が装着され、その背面に前記左右回転部が結合されるテレビ装着板と、を含んで構成される壁掛け型テレビの画面位置調節装置であって、前記テレビ装着板の背面の上端部が、前記支持板に対して左右回転可能となるように前記支持板のヒンジコネクターとヒンジ結合されると共に、前記テレビ装着板の背面の下端部が前記左右回転部に結合され、前記左右回転部は、前記支持板に固定設置され、それぞれ駆動軸が設けられている一対の左右回転用モーターと、前記一対の左右回転用モーターの各駆動軸と連結されて、これら駆動軸の回転によって反対方向に同じ長さで駆動され、その先端部に連結リンクがそれぞれ設置されているギア部と、前記ギア部の連結リンクと一体に結合され、前記支持板の下部側において回転可能に設置され、前記テレビ装着板の下端部と連結されるコネクターを備える第１回転軸と、前記ギア部の連結リンクと一体に結合され、前記第１回転軸とは反対側である、前記支持板の他端側において回転可能に設置され、前記テレビ装着板の下端部と連結されるコネクターを備える第２回転軸と、を含んで構成される。
【００１９】
また、本発明の第３実施例による壁掛け型テレビの画面位置調節装置において、前記ギア部は、前記各駆動軸と噛み合って、これら駆動軸に対して直角方向において軸回転されるロッドスクリューと、前記ロッドスクリューとねじ結合され、これらロッドスクリューの回転によって左右に移動されて前記連結リンクを介して第１回転軸、第２回転軸をそれぞれ軸回転させるスクリューハウジングと、からなることが望ましい。
【００２０】
また、本発明の第３実施例による壁掛け型テレビの画面位置調節装置において、前記駆動軸と前記ロッドスクリューは、互いにウォームギア方式で噛み合っていることが望ましい。
【００２１】
また、本発明の第３実施例による壁掛け型テレビの画面位置調節装置において、前記駆動軸と前記ロッドスクリューを取り囲むギアボックスをさらに備え、これらギアボックスを支持するために、前記支持板の上にギアボックス支持棒が設置されていることが望ましい。
【００２２】
また、本発明の第３実施例による壁掛け型テレビの画面位置調節装置において、前記支持板の下部中央に、一対の左右回転用モーターを取り囲んで支持するためのモーター支持ブラケットを設けることが望ましい。
【００２３】
また、本発明の第３実施例による壁掛け型テレビの画面位置調節装置において、前記モーター支持ブラケットの中央部には支持ピン掛け金具が設置され、これに対応する前記テレビ装着板の背面の下端中央部には、前記支持ピン掛け金具に安着されて、前記左右回転部の作動時に、前記テレビ装着板を安定的に左右回転させるために回転支持ピンが設置されていることが望ましい。
【００２４】
また、本発明の第３実施例による壁掛け型テレビの画面位置調節装置において、前記支持板のヒンジコネクター及び左右回転部の各コネクターに対応する前記テレビ装着板のコネクター連結部は、左右回転を容易にするボールジョイントからなることが望ましい。
【００２５】
また、本発明の第３実施例による壁掛け型テレビの画面位置調節装置において、前記支持板のヒンジコネクターと連結される前記テレビ装着板のヒンジ連結部には、前記ボールジョイントを取り囲んで左右にスライド可能とするガイドソケットがさらに設けられていることが望ましい。
【００２６】
上記の目的を達成するために、本発明の第４実施例による壁掛け型テレビの画面位置調節装置は、壁面に設置され、テレビジョン装置を左右回転可能に支持する支持板と、該支持板に設置されてテレビジョン装置を左右に回転させる左右回転部と、前面にテレビジョン装置が装着され、その背面に前記左右回転部が結合されるテレビ装着板と、を含んで構成される壁掛け型テレビの画面位置調節装置であって、前記左右回転部は、前記支持板にそれぞれ固定設置され、駆動軸がそれぞれ設けられている左右回転用モーターと、前記左右回転用モーターの各駆動軸と連結されて、これら駆動軸の回転によってそれぞれ同じ長さで駆動され、その先端部に連結リンクが設置されているギア部と、前記ギア部の連結リンクと一体に結合され、前記支持板の軸回転支持部において回転可能に設置され、外周面には、前記テレビ装着板において対応する部位と連結されるコネクターを備える回転軸と、を含んで構成される。
【００２７】
また、本発明の第４実施例による壁掛け型テレビの画面位置調節装置において、前記ギア部は、前記各駆動軸と噛み合って、これら駆動軸に対して直角方向において回転されるロッドスクリューと、前記ロッドスクリューとねじ結合され、これらロッドスクリューの回転によって左右に移動されて前記連結リンクを介して回転軸をそれぞれ軸回転させるスクリューハウジングと、からなることが望ましい。
【００２８】
また、本発明の第４実施例による壁掛け型テレビの画面位置調節装置において、前記駆動軸と前記ロッドスクリューは、互いにウォームギア方式で噛み合っていることが望ましい。
【００２９】
また、本発明の第４実施例による壁掛け型テレビの画面位置調節装置において、前記駆動軸と前記ロッドスクリューを取り囲むギアボックスをさらに備え、これらギアボックスを支持するために、前記支持板の上にギアボックス支持棒が設置されていることが望ましい。
【００３０】
上記の目的を達成するために、本発明の第５実施例による壁掛け型テレビの画面位置調節装置は、壁面に設置され、テレビション装置を左右回転可能に支持する支持板と、該支持板に設置されてテレビジョン装置を左右に回転させる左右回転部と、前面にテレビジョン装置が装着され、その背面に前記左右回転部が結合されるテレビ装着板と、を含んで構成される壁掛け型テレビの画面位置調節装置であって、前記テレビ装着板の幅方向の一端部がヒンジ結合され、その幅方向の他端部に前記左右回転部が設置されており、前記左右回転部は、前記支持板にて並列に固定設置され、それぞれ上下端部に突出されている駆動軸を有する左右回転用モーターと、前記左右回転用モーターの駆動軸と連結されて、これら駆動軸の回転によって所定の長さで駆動され、その先端部に連結リンクが設置されているギア部と、前記ギア部の連結リンクと一体に結合され、前記支持板の上下端部にそれぞれ回転可能に設置されて、前記テレビ装着板の上下端部と連結されるコネクターを備える回転軸と、を含んで構成される。
【００３１】
また、本発明の第５実施例による壁掛け型テレビの画面位置調節装置において、前記ギア部は、前記各駆動軸と噛み合って、これら駆動軸に対して直角方向において回転されるロッドスクリューと、前記ロッドスクリューとねじ結合され、このロッドスクリューの回転によって左右に移動されて前記連結リンクを介してそれぞれの回転軸を軸回転させるスクリューハウジングと、からなることが望ましい。
【００３２】
また、本発明の第５実施例による壁掛け型テレビの画面位置調節装置において、前記駆動軸と前記ロッドスクリューは、互いにウォームギア方式で噛み合っていることが望ましい。
【００３３】
また、本発明の第５実施例による壁掛け型テレビの画面位置調節装置において、前記駆動軸とロッドスクリューを取り囲むギアボックスをさらに備え、このギアボックスを支持するために、前記支持板の上にギアボックス支持棒が設置されていることが望ましい。
【００３４】
上記の目的を達成するために、本発明の第６実施例による壁掛け型テレビの画面位置調節装置は、壁面に設置され、テレビジョン装置を左右回転可能に支持する支持板と、該支持板に設置されるテレビジョン装置を左右に回転させる左右回転部と、前面にテレビジョン装置が装着され、その背面に前記左右回転部が結合されるテレビ装着板と、を含んで構成される壁掛け型テレビの画面位置調節装置であって、前記左右回転部は、前記支持板に固定設置され、一端部に駆動軸が設置されている左右回転用モーターと、前記左右回転用モーターの駆動軸と連結されて、この駆動軸の回転に連動し、その先端部に連結リンクが設置されているギア部と、前記ギア部の連結リンクと一体に結合され、前記支持板の一端側において回転可能に設置され、一端部に前記テレビ装着板と連結されるコネクターを備える第１回転軸と、前記第１回転軸と対称的な形状を有し、かつ前記第１回転軸とは反対側である前記支持板の他端側において回転可能に設置される第２回転軸と、前記第１回転軸と前記第２回転軸とを連結し、これら第１回転軸と第２回転軸とを互いに連動させるための連動リンクと、を含んで構成される。
【００３５】
また、本発明の第６実施例による壁掛け型テレビの画面位置調節装置において、前記ギア部は、前記駆動軸と噛み合って、この駆動軸に対して直角方向において回転されるロッドスクリューと、前記ロッドスクリューとねじ結合され、このロッドスクリューの回転によって左右に移動されて前記連結リンクを回転させるスクリューハウジングと、からなることが望ましい。
【００３６】
また、本発明の第６実施例による壁掛け型テレビの画面位置調節装置において、前記駆動軸と前記ロッドスクリューは、互いにウォームギア方式で噛み合っていることが望ましい。
【００３７】
また、本発明の第６実施例による壁掛け型テレビの画面位置調節装置において、前記連動リンクは、前記第１回転軸と前記第２回転軸との離隔距離と同じ長さを有する連結バーと、前記連結バーの両端部からそれぞれ直角に延長され、その一端部が前記連結バーとヒンジ連結され、その他端部が前記第１回転軸、前記第２回転軸とそれぞれ一体に結合される連結片と、からなることが望ましい。
【発明の効果】
【００３８】
以上で説明したように、本発明による壁掛け型テレビの画面位置調節装置は、テレビの画面を遠隔で自動に左右回転操作することで、視聴者に実時間で最適な画面位置を提供すると共に、自動化によって画面回転調節を迅速で簡便に行えるようになり、またテレビの左右回転動作を行うための構造を単純化することで、製造工程における作業能率の向上及び費用の節減を図ることができる。
【発明を実施するための最良の形態】
【００３９】
以下、本発明の一実施例による壁掛け型テレビの画面位置調節装置を、添付した図面を参照して詳細に説明する。
【００４０】
図１〜図７に示すように、本発明の第１実施例による壁掛け型テレビの画面位置調節装置は、壁面に設置され、テレビジョン装置（図示しない）を左右回転可能に支持する支持板１０と、この支持板１０に設置されるテレビジョン装置を左右に回転させる左右回転部２０と、前面にテレビジョン装置が装着され、その背面に左右回転部２０が結合されるテレビ装着板３０と、を含む構成となっている。
【００４１】
支持板１０は、リビングルーム等の壁面に設置され、その前面に左右回転部２０が結合される板状部材である。より詳細には、左右回転部２０の左右回転用モーター２１が中央部に固定支持された状態とされ、それぞれのギアボックス２２ｄ、２３ｄを支持するために支持板１０の中央部と中央の下端部にギアボックス支持棒１１ａ、１１ｂが設置されており、支持板１０の両側部にはそれぞれ第１回転軸２４と第２回転軸２５が軸回転可能となるように、これら第１回転軸２４、第２回転軸２５の上下端部がそれぞれに挿入支持される軸回転支持部１３、１４が設けられている。
【００４２】
そして、支持板１０は、壁面に固定設置される固定板（図示しない）に対して、上下にスライド可能に結合される昇降板としての機能を有するように、テレビジョン装置を上下方向において昇降調節することもできる。
【００４３】
符号１５に示す孔は、回転されるコネクター２４ａ、２５ａを挿通させるための貫通孔を示す。
【００４４】
左右回転部２０は、一部が支持板１０に結合され、その他の部分がテレビ装着板３０と結合されて、テレビジョン装置を左右において所望の角度で回転させるために、左右回転用モーター２１、ギア部２２、２３、第１回転軸２４及び第２回転軸２５を含む構成となっている。
【００４５】
以下、左右回転部２０の各構成要素について詳細に説明すると次の通りである。
【００４６】
左右回転用モーター２１は、支持板１０の中央にボルト等の別途の締結具で固定設置され、上下端部にそれぞれ駆動軸２１ａ、２１ｂが設置されることで、特に、所望の回転角で正逆回転が可能であり、そして各駆動軸２１ａ、２１ｂとギア結合されているロッドスクリュー２２ｂ、２３ｂを、駆動軸２１ａ、２１ｂに対してそれぞれ直角方向に所望の回転角をもって正逆回転させる。
【００４７】
ギア部２２、２３は、左右回転用モーター２１の各駆動軸２１ａ、２１ｂにそれぞれ連結されており、これらの駆動軸２１ａ、２１ｂの回転によってスクリューハウジング２２ｃ、２３ｃが同じ長さをもって同時に駆動され、その先端部に連結リンク２２ａ、２３ａがそれぞれに設置されている。これをより詳細に説明すれば、ギア部２２、２３はそれぞれに駆動軸２１ａ、２１ｂと噛み合っており、この駆動軸２１ａ、２１ｂに対して直角方向においてその位置を変えずに回転するロッドスクリュー２２ｂ、２３ｂ、及びこのロッドスクリュー２２ｂ、２３ｂとねじ結合され、かつロッドスクリュー２２ｂ、２３ｂの回転によって左右に移動されて、連結リンク２２ａ、２３ａを介して第１回転軸２４、第２回転軸２５をそれぞれに軸回転させるスクリューハウジング２２ｃ、２３ｃからなっている。
【００４８】
ここで、駆動軸２１ａ、２１ｂとロッドスクリュー２２ｂ、２３ｂについてはウォームギア方式、つまり、互いに直角方向に回転力が発生し、スクリューハウジング２２ｃ、２３ｃを同時に移動させるためのギアの組み合せとなっているが、これに限らず、その他にも、互いに直角方向に回転力を伝達させるための条件を満たす範囲で多様なギアの組み合せが可能である。
【００４９】
第１回転軸２４は、ギア部２２の連結リンク２２ａと一体に結合され、支持板１０の中央を基準にして右側（図３参照）の軸回転支持部１３に回転可能に設置され、上下端部において、テレビ装着板３０と連結されるコネクター２４ａをそれぞれ備えた棒状となっている。
【００５０】
ここで、コネクター２４ａは、┐形状（横倒Ｌ字状）をなしており、左右回転部２０の中央部へと延びてから、テレビ装着板３０に向けて屈曲されている。
【００５１】
第２回転軸２５は、第１回転軸２４のコネクター２４ａと同じ高さの上下端部にテレビ装着板３０と連結されるコネクター２５ａがそれぞれ設置され、支持板１０の中央を基準にして第１回転軸２４の反対側である支持板１０の他端側の軸回転支持部１４に回転可能に設置される棒状になっている。
【００５２】
テレビ装着板３０は、その前面にテレビジョン装置が装着され、その背面に左右回転部２０の各コネクター２４ａ、２５ａがそれぞれに連結されるコネクター連結部３１、３２が形成された板状となっている。
【００５３】
このような構成をした、本発明の第１実施例による壁掛け型テレビの画面位置調節装置では、左右回転部２０の左右回転用モーター２１を別途の締結具４０（図３参照）で支持板１０に固定設置し、左右回転部２０の第１回転軸２４、第２回転軸２５を支持板１０の両側の軸回転支持部１３、１４にそれぞれ回転可能に結合させる。この第１回転軸２４、第２回転軸２５の各コネクター２４ａ、２５ａをテレビ装着板３０の各コネクター連結部３１、３２にそれぞれ連結して、テレビジョン装置の左右回転動作を行うための組立が完了する。
【００５４】
このように組立が完了した状態で、テレビの画面位置について、左右方向の一方に所望の角度をもって回転させようとする場合、例えば、テレビを基準にして、右側に位置している視聴者の方向にテレビ画面を回転させようとする場合（図５参照）には、左右回転用モーター２１を所望の方向に作動させて、各駆動軸２１ａ、２１ｂと噛み合っているロッドスクリュー２２ｂ、２３ｂを介してスクリューハウジング２２ｃ、２３ｃが左右回転用モーター２１側に移動されるようにすればよい。つまり、このスクリューハウジング２２ｃ、２３ｃの移動に従って、その先端部の連結リンク２２ａ、２３ａによって第１回転軸２４が所定の回転角でもって図５の反時計回り方向に軸回転されると共に、第１回転軸２４のコネクター２４ａが前方に進む方向に回動されて、テレビ装着板３０を前方に押し出すようになる。これに連動して第２回転軸２５も第１回転軸２４と同じ方向に軸回転しながら、コネクター２５ａが後方へと後退する方向に回動されて、テレビ装着板３０を後方に引き込むことになる。結果的にテレビ装着板３０全体が右側に傾動され、テレビ画面が右側の視聴者の方向に回転する。
【００５５】
そして、上記とは逆に、テレビを基準にして、左側に位置している視聴者の方向にテレビ画面を回転させようとする場合（図６参照）には、左右回転用モーター２１を所望の方向に作動させて、各駆動軸２１ａ、２１ｂと噛み合っているロッドスクリュー２２ｂ、２３ｂを介してスクリューハウジング２２ｃ、２３ｃが左右回転用モーター２１から遠くなる方向に移動されるようにすればよい。このスクリューハウジング２２ｃ、２３ｃの移動に従って、その先端部の連結リンク２２ａ、２３ａによって第１回転軸２４が所定の回転角でもって図６の時計回り方向に軸回転されると共に、第１回転軸２４のコネクター２４ａが後方へと後退する方向に回動されて、テレビ装着板３０を後方に引き込むようになる。これと連動して第２回転軸２５も第１回転軸２４と同じ方向に軸回転しながら、コネクター２５ａが前方に進む方向に回動されて、テレビ装着板３０を前方に押し出すことになる。結果的にテレビ装着板３０全体が左側に傾動されて、テレビ画面が左側の視聴者の方向に回転する。
【００５６】
図８〜図１６に示すように、本発明の第２実施例による壁掛け型テレビの画面位置調節装置は、壁面に設置され、テレビジョン装置（図示しない）を左右回転可能に支持する支持板１１０と、この支持板１１０に設置されるテレビジョン装置を左右に回転させる左右回転部１２０と、前面にテレビジョン装置が装着され、その背面に左右回転部１２０が結合されるテレビ装着板１３０と、を含む構成となっている。
【００５７】
支持板１１０は、リビングルーム等の壁面に設置され、その前面に左右回転部１２０が結合される板状部材である。より詳細には、左右回転部１２０の左右回転用モーター１２１が中央部に固定支持された状態とされ、それぞれのギアボックス１２２ｄ、１２３ｄを支持するために支持板１１０の中央部と中央の下端部にギアボックス支持棒１１３ａ、１１３ｂが設置されており、支持板１１０の両側の上下部には、それぞれ第１回転軸１２４、第２回転軸１２５の上下端部がそれぞれに挿入されて、軸回転可能に支持される軸回転支持部１１４、１１５が設けられている。
【００５８】
そして、テレビ装着板１３０の背面の上端部には、支持板１１０に対して左右回転を可能にするヒンジコネクター１１１が設置されている。
【００５９】
本実施例において、ヒンジコネクター１１１は、テレビジョン装置を上下に傾動させる上下ティルティング部１４０（以下、構成及び作動の説明は省略する）のヒンジコネクターを利用している。そして、支持板１１０の下部中央には、左右回転用モーター１２１を取り囲んで支持するためのモーター支持ブラケット１１２が設けられている。このモーター支持ブラケット１１２の中央部には、テレビ装着板１３０の背面における下端中央部に設置される回転支持ピン１３４が安着されて、左右回転部１２０の作動時、テレビ装着板１３０が安定的に左右回転されるようにするための、Ｕ字状をした支持ピン掛け金具１１２ａ（図８参照）が設けられている。
【００６０】
そして、支持板１１０は、壁面に固定設置される固定板（図示しない）に対して、上下にスライド可能に結合される昇降板としての機能を有するように、テレビジョン装置を上下方向において昇降調節することもできる。
【００６１】
左右回転部１２０は、一部が支持板１１０に結合され、その他の部分がテレビ装着板１３０と結合されて、テレビジョン装置を左右において所望の角度で回転させるために、左右回転用モーター１２１、ギア部１２２、１２３、第１回転軸１２４及び第２回転軸１２５を含む構成となっている。
【００６２】
以下、左右回転部１２０の各構成要素について詳細に説明すると次の通りである。
【００６３】
左右回転用モーター１２１は、支持板１１０の中央にボルト等の別途の締結具で固定設置され、上下端部にそれぞれ駆動軸１２１ａ、１２１ｂが設置されることで、特に、所望の回転角で正逆回転が可能であり、そして各駆動軸１２１ａ、１２１ｂとギア結合されているロッドスクリュー１２２ｂ、１２３ｂを駆動軸１２１ａ、１２１ｂに対して直角方向に所望の回転角をもって正逆回転させる。
【００６４】
ギア部１２２、１２３は、左右回転用モーター１２１の各駆動軸１２１ａ、１２１ｂにそれぞれ連結されており、これらの駆動軸１２１ａ、１２１ｂの回転によってスクリューハウジング１２２ｃ、１２３ｃが同じ長さをもって同時に駆動され、その先端部に連結リンク１２２ａ、１２３ａがそれぞれに設置されている。これをより詳細に説明すれば、ギア部１２２、１２３は駆動軸１２１ａ、１２１ｂとそれぞれに噛み合っており、この駆動軸１２１ａ、１２１ｂに対して直角方向において位置を変えずに回転するロッドスクリュー１２２ｂ、１２３ｂ、及びこのロッドスクリュー１２２ｂ、１２３ｂとねじ結合され、かつロッドスクリュー１２２ｂ、１２３ｂの回転によって左右に移動されて、連結リンク１２２ａ、１２３ａを介して第１回転軸１２４、第２回転軸１２５をそれぞれに軸回転させるスクリューハウジング１２２ｃ、１２３ｃからなっている。
【００６５】
ここで、駆動軸１２１ａ、１２１ｂとロッドスクリュー１２２ｂ、１２３ｂについてはウォームギア方式、つまり、互いに直角方向に回転力が発生し、スクリューハウジング１２２ｃ、１２３ｃを同時に移動させるためのギアの組み合せとなっているが、これに限らず、その他にも、互いに直角方向に回転力を伝達させるための条件を満たす範囲で多様なギアの組み合せが可能である。
【００６６】
第１回転軸１２４は、ギア部１２２の連結リンク１２２ａと一体に結合され、支持板１１０の中央を基準にして右側（図１４参照）の軸回転支持部１１４に回転可能に設置され、下端部にテレビ装着板１３０のコネクター連結部１３１と連結されるコネクター１２４ａを備えた棒状になっている。
【００６７】
ここで、コネクター１２４ａは┐形状（横倒Ｌ字状）をなしており、左右回転部１２０の中央部へと延びてから、テレビ装着板１３０に向けて屈曲されている。
【００６８】
第２回転軸１２５には、第１回転軸１２４のコネクター１２４ａと同じ高さでもって、外周部にテレビ装着板１３０のコネクター連結部１３２と連結されるコネクター１２５ａが設置され、支持板１１０の中央を基準にして第１回転軸１２４とは反対側とされる、支持板１１０の他端側の軸回転支持部１１５に対して回転可能に設置される棒状となっている。
【００６９】
そして、テレビ装着板１３０は板状とされ、その前面にテレビジョン装置が装着され、その背面の上端中央には、支持板１１０のヒンジコネクター１１１が連結されるヒンジ連結部１３３が設置される。また、背面の下端両側部には、左右回転部１２０の各コネクター１２４ａ、１２５ａが連結されるコネクター連結部１３１、１３２が設けられている。
【００７０】
ここで、支持板１１０のヒンジコネクター１１１及び左右回転部１２０の各コネクター１２４ａ、１２５ａにそれぞれ対応する、テレビ装着板１３０の各連結部１３１、１３２、１３３は、左右回転を容易にするためにボールジョイントからなっている。
【００７１】
そして、支持板１１０のヒンジコネクター１１１と連結されるテレビ装着板１３０のヒンジ連結部１３３には、ボールジョイントを取り囲んで左右にスライド可能とするガイドソケット１３３ａがさらに設けられている。
【００７２】
このような構成をした、本発明の第２実施例による壁掛け型テレビの画面位置調節装置では、左右回転部１２０の左右回転用モーター１２１をモーター支持ブラケット１１２で支持板１１０に固定設置し、左右回転部１２０の第１回転軸１２４、第２回転軸１２５を支持板１１０の両側の軸回転支持部１１４、１１５にそれぞれ回転可能に結合させる。この第１回転軸１２４、第２回転軸１２５の各コネクター１２４ａ、１２５ａをテレビ装着板１３０の各コネクター連結部１３１、１３２にそれぞれ連結させると共に、支持板１１０のヒンジコネクター１１１をテレビ装着板１３０のヒンジ連結部１３３に連結させることで、テレビジョン装置の左右回転動作を行うための組立が完了する。
【００７３】
このように組立が完了した状態で、テレビの画面位置について、左右方向の一方に所望の角度をもって回転させようとする場合、例えば、テレビを基準にして、右側に位置している視聴者の方向にテレビ画面を回転させようとする場合（図１１参照）には、左右回転用モーター１２１を所望の方向に作動させて、各駆動軸１２１ａ、１２１ｂと噛み合っているロッドスクリュー１２２ｂ、１２３ｂを介して、スクリューハウジング１２２ｃ、１２３ｃを左右回転用モーター１２１側に移動させればよい。つまり、このスクリューハウジング１２２ｃ、１２３ｃの移動に従って、その先端部の連結リンク１２２ａ、１２３ａによって第１回転軸１２４が所定の回転角で図１１の反時計回り方向に軸回転されると共に、第１回転軸１２４のコネクター１２４ａが前方に進む方向に回動されて、テレビ装着板１３０を前方に押し出すようになる。これと連動して第２回転軸１２５も第１回転軸１２４と同じ方向に軸回転しながら、コネクター１２５ａが後方へと後退する方向に回動されて、テレビ装着板１３０を後方に引き込むことになる。結果的にテレビ装着板１３０全体が右側に傾動され、テレビ画面が右側の視聴者の方向に回転する。
【００７４】
そして、上記とは逆に、テレビを基準にして、左側に位置している視聴者の方向にテレビ画面を回転させようとする場合（図１２参照）には、左右回転用モーター１２１を所望の方向に作動させて、各駆動軸１２１ａ、１２１ｂと噛み合っているロッドスクリュー１２２ｂ、１２３ｂを介して、スクリューハウジング１２２ｃ、１２３ｃを左右回転用モーター１２１から遠くなる方向に移動させればよい。このスクリューハウジング１２２ｃ、１２３ｃの移動に従って、その先端部の連結リンク１２２ａ、１２３ａによって第１回転軸１２４が所定の回転角でもって図１２の時計回り方向に軸回転されると共に、第１回転軸１２４のコネクター１２４ａが後方へと後退する方向に回動されて、テレビ装着板１３０を後方に引き込むようになる。これと連動して第２回転軸１２５も第１回転軸１２４と同じ方向に軸回転しながらコネクター１２５ａが前方に進む方向に回動されて、テレビ装着板１３０を前方に押し出すことになる。結果的にテレビ装着板１３０全体が左側に傾動されて、テレビ画面が左側の視聴者の方向に回転する。
【００７５】
図１７〜図２５に示すように、本発明の第３実施例による壁掛け型テレビの画面位置調節装置は、壁面に設置され、テレビジョン装置（図示しない）を左右回転可能に支持する支持板２１０と、この支持板２１０に設置されるテレビジョン装置を左右に回転させる左右回転部２２０と、前面にテレビジョン装置が装着され、その背面に左右回転部２２０が結合されるテレビ装着板２３０と、を含む構成となっている。
【００７６】
支持板２１０は、リビングルーム等の壁面に設置され、その前面に左右回転部２２０が結合される板状部材である。より詳細には、左右回転部２２０を構成する一対の左右回転用モーター２２１、２２１´が中央部に固定支持された状態とされ、それぞれのギアボックス２２２ｄ、２２３ｄを支持するために支持板２１０の中央部と中央の下端部にギアボックス支持棒２１３ａ、２１３ｂが設置されている。支持板２１０の両側には上下方向において、第１回転軸２２４、第２回転軸２２５の上下端部がそれぞれ挿入されて、軸回転可能に支持される軸回転支持部２１４、２１５がそれぞれ設けられている。
【００７７】
そして、テレビ装着板２３０の背面の上端部には、支持板２１０に対して左右回転を可能にするヒンジコネクター２１１が設置されている。
【００７８】
本実施例において、ヒンジコネクター２１１は、テレビジョン装置を上下に傾動させる上下ティルティング部２４０（以下、構成及び作動の説明は省略する）のヒンジコネクターを利用している。そして、支持板２１０の下部中央には、左右回転用モーター２２１、２２１´を取り囲んで支持するためのモーター支持ブラケット２１２が設けられている。このモーター支持ブラケット２１２の中央部には、テレビ装着板２３０の背面の下端中央部に設置される回転支持ピン２３４が安着されて、左右回転部２２０の作動時、テレビ装着板２３０が安定的に左右回転されるようにするための、Ｕ字状をした支持ピン掛け金具２１２ａ（図１７参照）が設置されている。
【００７９】
そして、支持板２１０は、壁面に固定設置される固定板（図示しない）に対して、上下にスライド可能に結合される昇降板としての機能を有するように、テレビジョン装置を上下方向において昇降調節することもできる。
【００８０】
左右回転部２２０は、一部が支持板２１０に結合され、その他の部分がテレビ装着板２３０と結合されて、テレビジョン装置を左右において所望の角度で回転させるために、一対の左右回転用モーター２２１、２２１´、ギア部２２２、２２３、第１回転軸２２４及び第２回転軸２２５を含む構成となっている。
【００８１】
以下、左右回転部２２０の各構成要素について詳細に説明すると次の通りである。
【００８２】
左右回転用モーター２２１、２２１´は、支持板２１０の中央にボルト等の別途の締結具で固定設置され、それぞれ駆動軸２２１ａ、２２１ａ´が設置されていることで、特に、所望の回転角で正逆回転が可能であり、各駆動軸２２１ａ、２２１ａ´とギア結合されているロッドスクリュー２２２ｂ、２２３ｂを、それぞれの駆動軸２２１ａ、２２１ａ´に対して直角方向に所望の回転角をもって正逆回転させる。
【００８３】
ギア部２２２、２２３は、一対の左右回転用モーター２２１、２２１´の各駆動軸２２１ａ、２２１ａ´にそれぞれ連結されて、これらの駆動軸２２１ａ、２２１ａ´の回転によってスクリューハウジング２２２ｃ、２２３ｃが同じ長さをもって同時に駆動され、その先端部に連結リンク２２２ａ、２２３ａが設置されている。これをより詳細に説明すれば、ギア部２２２、２２３はそれぞれの駆動軸２２１ａ、２２１ａ´と噛み合っており、これら駆動軸２２１ａ、２２１ａ´に対して直角方向において位置を変えずに回転されるロッドスクリュー２２２ｂ、２２３ｂ、及びこのロッドスクリュー２２２ｂ、２２３ｂとねじ結合され、かつロッドスクリュー２２２ｂ、２２３ｂの回転によって左右に移動されて、連結リンク２２２ａ、２２３ａを介して第１回転軸２２４、第２回転軸２２５をそれぞれに軸回転させるスクリューハウジング２２２ｃ、２２３ｃからなっている。
【００８４】
ここで、駆動軸２２１ａ、２２１ａ´とロッドスクリュー２２２ｂ、２２３ｂについてはウォームギア方式、つまり、互いに直角方向に回転力が発生し、スクリューハウジング２２２ｃ、２２３ｃを同時に移動させるためのギアの組み合せとなっているが、これに限らず、その他にも、互いに直角方向に回転力を伝達させるための条件を満たす範囲で多様なギアの組み合せが可能である。
【００８５】
第１回転軸２２４は、ギア部２２２の連結リンク２２２ａと一体に結合され、支持板２１０の中央を基準にして右側（図２３参照）の軸回転支持部２１４に回転可能に設置され、下端部にテレビ装着板２３０のコネクター連結部２３１と連結されるコネクター２２４ａを備えた棒状となっている。
【００８６】
ここで、コネクター２２４ａは┐形状（横倒Ｌ字状）をなしており、左右回転部２２０の中央部へと延びてから、テレビ装着板２３０に向けて屈曲されている。
【００８７】
第２回転軸２２５には、第１回転軸２２４のコネクター２２４ａと同じ高さでもって、外周部にテレビ装着板２３０のコネクター連結部２３２と連結されるコネクター２２５ａが設置され、支持板２１０の中央を基準にして第１回転軸２２４とは反対側とされる、支持板２１０の他端側の軸回転支持部２１５に対して回転可能に設置される棒状となっている。
【００８８】
そして、テレビ装着板２３０は板状とされ、その前面にテレビジョン装置が装着され、その背面の上端中央には、支持板２１０のヒンジコネクター２１１が連結されるヒンジ連結部２３３が設置される。また、背面の下端両側部には、左右回転部２２０の各コネクター２２４ａ、２２５ａが連結されるコネクター連結部２３１、２３２が設けられている。
【００８９】
ここで、支持板２１０のヒンジコネクター２１１及び左右回転部２２０の各コネクター２２４ａ、２２５ａにそれぞれ対応する、テレビ装着板２３０の各連結部２３１、２３２、２３３は、左右回転を容易にするためにボールジョイントからなっている。
【００９０】
そして、支持板２１０のヒンジコネクター２１１と連結されるテレビ装着板２３０のヒンジ連結部２３３には、ボールジョイントを取り囲んで左右にスライド可能とするガイドソケット２３３ａがさらに設けられている。
【００９１】
このような構成をした、本発明の第３実施例による壁掛け型テレビの画面位置調節装置では、左右回転部２２０の一対の左右回転用モーター２２１、２２１´をモーター支持ブラケット２１２で支持板２１０に固定設置し、左右回転部２２０の第１回転軸２２４、第２回転軸２２５を支持板２１０の両側の軸回転支持部２１４、２１５にそれぞれ回転可能に結合させる。この第１回転軸２２４、第２回転軸２２５の各コネクター２２４ａ、２２５ａをテレビ装着板２３０の各コネクター連結部２３１、２３２にそれぞれ連結させると共に、支持板２１０のヒンジコネクター２１１をテレビ装着板２３０のヒンジ連結部２３３に連結させることで、テレビジョン装置の左右回転動作を行うための組立が完了する。
【００９２】
このように組立が完了した状態で、テレビの画面位置について、左右方向の一方に、所望の角度をもって回転させようとする場合、例えば、テレビを基準にして、右側に位置している視聴者の方向にテレビ画面を回転させようとする場合（図２０参照）、一対の左右回転用モーター２２１、２２１´を所望の方向に作動させて、各駆動軸２２１ａ、２２１ａ´と噛み合っているロッドスクリュー２２２ｂ、２２３ｂを介して、スクリューハウジング２２２ｃ、２２３ｃをそれぞれの左右回転用モーター２２１、２２１´側に移動させればよい。つまり、このスクリューハウジング２２２ｃ、２２３ｃの移動に従って、その先端部の連結リンク２２２ａ、２２３ａによって第１回転軸２２４が所定の回転角でもって図２０の反時計回り方向に軸回転されると共に、第１回転軸２２４のコネクター２２４ａが前方に進む方向に回動されて、テレビ装着板２３０を前方に押し出すようになる。これに連動して第２回転軸２２５も第１回転軸２２４と同じ方向に軸回転しながらコネクター２２５ａが後方へと後退する方向に回動されて、テレビ装着板２３０を後方に引き込むことになる。結果的にテレビ装着板２３０全体が右側に傾動され、テレビ画面が右側の視聴者の方向に回転する。
【００９３】
そして、上記とは逆に、テレビを基準にして、左側に位置している視聴者の方向にテレビ画面を回転させようとする場合（図２１参照）には、一対の左右回転用モーター２２１、２２１´を所望の方向に作動させて、各駆動軸２２１ａ、２２１ａ´と噛み合っているロッドスクリュー２２２ｂ、２２３ｂを介して、スクリューハウジング２２２ｃ、２２３ｃを左右回転用モーター２２１から遠くなる方向に移動させればよい。このスクリューハウジング２２２ｃ、２２３ｃの移動に従って、その先端部の連結リンク２２２ａ、２２３ａによって第１回転軸２２４が所定の回転角でもって図２１の時計回り方向に軸回転されると共に、第１回転軸２２４のコネクター２２４ａが後方へと後退する方向に回動されて、テレビ装着板２３０を後方に引き込むようになる。これと連動して第２回転軸２２５も第１回転軸２２４と同じ方向に軸回転しながら、コネクター２２５ａが前方に進む方向に回動されて、テレビ装着板２３０を前方に押し出すことになる。結果的にテレビ装着板２３０全体が左側に傾動されて、テレビ画面が左側の視聴者の方向に回転する。
【００９４】
図２６〜図３２に示すように、本発明の第４実施例による壁掛け型テレビの画面位置調節装置は、壁面に設置され、テレビジョン装置（図示しない）を左右回転可能に支持する支持板３１０と、この支持板３１０に設置されるテレビジョン装置を左右に回転させる左右回転部３２０と、前面にテレビジョン装置が装着され、その背面に左右回転部３２０が結合されるテレビ装着板３３０と、を含む構成となっている。
【００９５】
支持板３１０は、リビングルーム等の壁面に設置され、その前面に左右回転部３２０が結合される板状部材である。より詳細には、左右回転部３２０を構成する４つの左右回転用モーター３２１、３２２、３２３、３２４が中央部に固定支持された状態とされ、それぞれのギアボックス３２１ｂ４、３２２ｂ４、３２３ｂ４、３２４ｂ４を支持するために支持板３１０の上下端部にそれぞれギアボックス支持棒３１０ａ、３１０ｂ、３１０ｃ、３１０ｄが設置されている。支持板３１０の両側部にはそれぞれ、回転軸３２１ｃ、３２２ｃ、３２３ｃ、３２４ｃが軸回転可能になるように、これら各回転軸３２１ｃ、３２２ｃ、３２３ｃ、３２４ｃの上下端部がそれぞれ挿入支持される軸回転支持部３１１、３１２、３１３、３１４が設けられている。
【００９６】
そして、支持板３１０は、壁面に固定設置される固定板（図示しない）に対して、上下にスライド可能に結合される昇降板としての機能を有するように、テレビジョン装置を上下方向において昇降調節することもできる。
【００９７】
符号３１５で示す孔は、回転されるコネクター３２１ｄ、３２２ｄ、３２３ｄ、３２４ｄを挿通させるための貫通孔を示す。
【００９８】
左右回転部３２０は、一部が支持板３１０に結合され、その他の部分がテレビ装着板３３０と結合されて、テレビジョン装置を左右において所望の角度で回転させるために、左右回転用モーター３２１、３２２、３２３、３２４と、ギア部３２１ｂ、３２２ｂ、３２３ｂ、３２４ｂと、回転軸３２１ｃ、３２２ｃ、３２３ｃ、３２４ｃを含む構成となっている。
【００９９】
以下、左右回転部３２０の各構成要素について詳細に説明すると次の通りである。
【０１００】
左右回転用モーター３２１、３２２、３２３、３２４は、支持板３１０の中央部にボルト等の別途の締結具で固定設置され、それぞれ駆動軸３２１ａ、３２２ａ、３２３ａ、３２４ａが設置されていることで、特に、所望の回転角で正逆回転が可能であり、各駆動軸３２１ａ、３２２ａ、３２３ａ、３２４ａとギア結合されているロッドスクリュー３２１ｂ２、３２２ｂ２、３２３ｂ２、３２４ｂ２を、それぞれの駆動軸３２１ａ、３２２ａ、３２３ａ、３２４ａに対して直角方向に所望の回転角をもって正逆回転させる。
【０１０１】
ギア部３２１ｂ、３２２ｂ、３２３ｂ、３２４ｂは、左右回転用モーター３２１、３２２、３２３、３２４の各駆動軸３２１ａ、３２２ａ、３２３ａ、３２４ａと連結されて、これらの駆動軸３２１ａ、３２２ａ、３２３ａ、３２４ａの回転によってスクリューハウジング３２１ｂ３、３２２ｂ３、３２３ｂ３、３２４ｂ３が同じ長さで同時に駆動され、その先端部に連結リンク３２１ｂ１、３２２ｂ１、３２３ｂ１、３２４ｂ１が設置されている。これをより詳細に説明すれば、ギア部３２１ｂ、３２２ｂ、３２３ｂ、３２４ｂは駆動軸３２１ａ、３２２ａ、３２３ａ、３２４ａと噛み合って、これらの駆動軸３２１ａ、３２２ａ、３２３ａ、３２４ａに対して直角方向においてその位置を変えずに回転するロッドスクリュー３２１ｂ２、３２２ｂ２、３２３ｂ２、３２４ｂ２と、これらロッドスクリュー３２１ｂ２、３２２ｂ２、３２３ｂ２、３２４ｂ２とねじ結合され、これらロッドスクリュー３２１ｂ２、３２２ｂ２、３２３ｂ２、３２４ｂ２の回転によって左右に移動されて、連結リンク３２１ｂ１、３２２ｂ１、３２３ｂ１、３２４ｂ１を介して各回転軸３２１ｃ、３２２ｃ、３２３ｃ、３２４ｃをそれぞれに軸回転させるスクリューハウジング３２１ｂ３、３２２ｂ３、３２３ｂ３、３２４ｂ３からなっている。
【０１０２】
ここで、各駆動軸３２１ａ、３２２ａ、３２３ａ、３２４ａと、これらに対応する各ロッドスクリュー３２１ｂ２、３２２ｂ２、３２３ｂ２、３２４ｂ２についてはウォームギア方式、つまり、互いに直角方向に回転力が発生し、スクリューハウジング３２１ｂ３、３２２ｂ３、３２３ｂ３、３２４ｂ３を同時に移動させるためのギアの組み合せとなっているが、これに限らず、その他にも、互いに直角方向に回転力を伝達させるための条件を満たす範囲で多様なギアの組み合せが可能である。
【０１０３】
回転軸３２１ｃ、３２２ｃ、３２３ｃ、３２４ｃは、各ギア部３２１ｂ、３２２ｂ、３２３ｂ、３２４ｂの連結リンク３２１ｂ１、３２２ｂ１、３２３ｂ１、３２４ｂ１とそれぞれ一体に結合され、支持板３１０の中央を基準にして右側の軸回転支持部３１１、３１２、３１３、３１４に回転可能に設置され、外周面にテレビ装着板３３０と連結されるコネクター３２１ｄ、３２２ｄ、３２３ｄ、３２４ｄをそれぞれ備えた棒状となっている。
【０１０４】
ここで、コネクター３２１ｄ、３２２ｄ、３２３ｄ、３２４ｄは┐形状（横倒Ｌ字状）をなしており、左右回転用モーター３２１、３２２、３２３、３２４の側に延びてから屈曲されてテレビ装着板３３０に向けて延在する。
【０１０５】
テレビ装着板３３０は板状とされ、その前面にテレビジョン装置が装着され、その背面には、左右回転部３２０の各コネクター３２１ｄ、３２２ｄ、３２３ｄ、３２４ｄがそれぞれ連結されるコネクター連結部３３１、３３２、３３３、３３４が形成されている。
【０１０６】
このような構成をした、本発明の第４実施例による壁掛け型テレビの画面位置調節装置では、左右回転部３２０の各左右回転用モーター３２１、３２２、３２３、３２４を別途の締結具で支持板３１０に固定設置し、左右回転部３２０の各回転軸３２１ｃ、３２２ｃ、３２３ｃ、３２４ｃを支持板３１０の両側の上下端の軸回転支持部３１１、３１２、３１３、３１４にそれぞれ回転可能に結合させる。これら各回転軸３２１ｃ、３２２ｃ、３２３ｃ、３２４ｃの各コネクター３２１ｄ、３２２ｄ、３２３ｄ、３２４ｄをテレビ装着板３３０の各コネクター連結部３３１、３３２、３３３、３３４に連結して、テレビジョン装置の左右回転動作を行うための組立が完了する。
【０１０７】
このように組立が完了した状態で、テレビの画面位置について、左右方向の一方に所望の角度をもって画面を回転させようとする場合、例えば、テレビを基準にして、右側に位置している視聴者の方向に画面を回転させようとする場合（図３０参照）には、左右回転用モーター３２１、３２２、３２３、３２４を所望の方向に作動させて、各駆動軸３２１ａ、３２２ａ、３２３ａ、３２４ａと噛み合っているロッドスクリュー３２１ｂ２、３２２ｂ２、３２３ｂ２、３２４ｂ２を介して一部のスクリューハウジング３２２ｂ３、３２３ｂ３については、左右回転用モーター３２２、３２３の側に移動させ、残りスクリューハウジング３２１ｂ３、３２４ｂ３については、左右回転用モーター３２１、３２４の反対側に移動させればよい。スクリューハウジング３２１ｂ３、３２２ｂ３、３２３ｂ３、３２４ｂ３の移動に従って、その先端部の連結リンク３２１ｂ１、３２２ｂ１、３２３ｂ１、３２４ｂ１によって各回転軸３２１ｃ、３２２ｃ、３２３ｃ、３２４ｃが所定の回転角で軸回転されると共に、これらの中で一部の回転軸３２２ｃ、３２４ｃのコネクター３２２ｄ、３２４ｄが前方に進む方向に回動されて、テレビ装着板３３０を前方に押し出すようになる。これと連動して残りの回転軸３２１ｃ、３２３ｃのコネクター３２１ｄ、３２３ｄは後方へと後退する方向に回動されて、テレビ装着板３３０を後方に引き込むことになる。結果的にテレビ装着板３３０全体が右側に傾動され、テレビ画面が右側の視聴者の方向に回転する。
【０１０８】
そして、上記とは逆に、テレビを基準にして、左側に位置している視聴者の方向に画面を回転させようとする場合（図３１参照）には、左右回転用モーター３２１、３２２、３２３、３２４を所望の方向に作動させて、各駆動軸３２１ａ、３２２ａ、３２３ａ、３２４ａと噛み合っているロッドスクリュー３２１ｂ２、３２２ｂ２、３２３ｂ２、３２４ｂ２を介して一部のスクリューハウジング３２１ｂ３、３２４ｂ３については、左右回転用モーター３２１、３２４の側に移動させ、残りのスクリューハウジング３２２ｂ３、３２３ｂ３については、左右回転用モーター３２２、３２３の反対側に移動させればよい。このスクリューハウジング３２１ｂ３、３２２ｂ３、３２３ｂ３、３２４ｂ３の移動に従って、その先端部の連結リンク３２１ｂ１、３２２ｂ１、３２３ｂ１、３２４ｂ１によって各回転軸３２１ｃ、３２２ｃ、３２３ｃ、３２４ｃが所定の回転角で軸回転されると共に、これらの中で一部の回転軸３２１ｃ、３２３ｃのコネクター３２１ｄ、３２３ｄが前方に進む方向に回動されて、テレビ装着板３３０を前方に押し出すようになる。これと連動して残りの回転軸３２２ｃ、３２４ｃのコネクター３２２ｄ、３２４ｄが後方へと後退する方向に回動されて、テレビ装着板３３０を後方に引き込むことになる。結果的にテレビ装着板３３０全体が左側に傾動され、テレビ画面が左側の視聴者の方向に回転する。
【０１０９】
図３３〜図３９に示すように、本発明の第５実施例による壁掛け型テレビの画面位置調節装置は、壁面に設置され、テレビジョン装置（図示しない）を左右回転可能に支持する支持板４１０と、この支持板４１０に設置されるテレビジョン装置を左右に回転させる左右回転部４２０と、前面にテレビジョン装置が装着され、その背面に左右回転部４２０が結合されるテレビ装着板４３０と、を含む構成となっている。
【０１１０】
支持板４１０は、リビングルーム等の壁面に設置され、その前面に左右回転部４２０が結合される板状部材である。より詳細には、左右回転部４２０の左右回転用モーター４２１、４２５が中央部において並列に固定支持された状態であって、それぞれのギアボックス４２２ｄ、４２６ｄを支持するために支持板４１０の中央の上下端部にギアボックス支持棒４１１ａ、４１１ｂが設置されており、支持板４１０の両側部にはそれぞれの回転軸４２４、４２８が軸回転可能となるように、これら回転軸４２４、４２８の上下端部がそれぞれ挿入支持される軸回転支持部４１３、４１４が設けられている。
【０１１１】
そして、軸回転支持部４１３の幅方向の反対側には、テレビ装着板４３０のヒンジ連結部４３３を軸支持するための軸支持部４１５が設置されている。
【０１１２】
一方、軸回転支持部４１４の幅方向の反対側には、左右回転用モーター４２５と一緒に動作制御されて、テレビ装着板４３０を上下に傾動させるための上下ティルティング部４４０（以下、構成及び作動の説明は省略する）が設置されている。
【０１１３】
そして、支持板４１０は、壁面に固定設置される固定板（図示しない）に対して、上下にスライド可能に結合される昇降板としての機能を有するように、テレビジョン装置を上下方向に昇降調節することもできる。
【０１１４】
符号４１６に示す孔は、回転されるコネクター４２４ａ、４２８ａを挿通させるための貫通孔を示す。
【０１１５】
左右回転部４２０は、一部が支持板４１０に結合され、その他の部分がテレビ装着板４３０と結合されて、テレビジョン装置を左右において所望の角度で回転させるために、左右回転用モーター４２１、４２５、ギア部４２２、４２６、及び回転軸４２４、４２８を含む構成となっている。
【０１１６】
以下、左右回転部４２０の各構成要素について詳細に説明すると次の通りである。
【０１１７】
左右回転用モーター４２１、４２５は、支持板４１０の中央にボルト等の別途の締結具で固定設置され、上下端部にそれぞれ駆動軸４２１ａ、４２５ａが設置されることで、特に、所望の回転角で正逆回転が可能であり、そして各駆動軸４２１ａ、４２５ａとギア結合されているロッドスクリュー４２２ｂ、４２６ｂを駆動軸４２１ａ、４２５ａに対してそれぞれ直角方向に所望の回転角をもって正逆回転させる。
【０１１８】
ギア部４２２、４２６は、左右回転用モーター４２１、４２５の各駆動軸４２１ａ、４２５ａにそれぞれ連結されており、これらの駆動軸４２１ａ、４２５ａの回転によってスクリューハウジング４２２ｃ、４２６ｃが同じ長さをもって同時に、それぞれ反対側に移動され（例えば、下部のスクリューハウジング４２２ｃが左右回転用モーター４２１側に一定の長さで移動される場合に、これと同時に上部のスクリューハウジング４２６ｃが反対方向に同じ長さで移動され）、その先端部に連結リンク４２２ａ、４２６ａが設置されている。より詳細には、ギア部４２２、４２６は駆動軸４２１ａ、４２５ａと噛み合っており、この駆動軸４２１ａ、４２５ａに対して直角方向においてその位置を変えずに回転されるロッドスクリュー４２２ｂ、４２６ｂ、及びこのロッドスクリュー４２２ｂ、４２６ｂとねじ結合され、かつロッドスクリュー４２２ｂ、４２６ｂの回転によって左右に移動されて、連結リンク４２２ａ、４２６ａを介してそれぞれの回転軸４２４、４２８を軸回転させるスクリューハウジング４２２ｃ、４２６ｃからなっている。
【０１１９】
ここで、駆動軸４２１ａ、４２５ａとロッドスクリュー４２２ｂ、４２６ｂについてはウォームギア方式、つまり、互いに直角方向に回転力が発生し、スクリューハウジング４２２ｃ、４２６ｃを反対方向に同時に移動させるためのギアの組み合せとなっているが、これに限らず、その他にも、互いに直角方向に回転力を伝達させるための条件を満たす範囲で多様なギアの組み合せが可能である。
【０１２０】
回転軸４２４、４２８は、ギア部４２２、４２６の連結リンク４２２ａ、４２６ａと一体に結合され、支持板４１０の中央を基準にして右側（図３５参照）の軸回転支持部４１３、４１４に回転可能に設置され、外周面にテレビ装着板４３０と連結されるコネクター４２４ａ、４２８ａをそれぞれ備えた棒状となっている。
【０１２１】
ここで、コネクター４２４ａ、４２８ａは、┐形状（横倒Ｌ字状）をなしており、左右回転部４２０の中央部へと延びてから、テレビ装着板４３０に向けて屈曲されている。
【０１２２】
テレビ装着板４３０は、その前面にテレビジョン装置が装着され、その背面に左右回転部４２０の各コネクター４２４ａ、４２８ａがそれぞれに連結されるコネクター連結部４３１、４３２が形成された板状になっている。
【０１２３】
このような構成をした、本発明の第５実施例による壁掛け型テレビの画面位置調節装置は、左右回転部４２０の左右回転用モーター４２１を別途の締結具（図示しない）で支持板４１０に固定設置し、左右回転部４２０の各回転軸４２４、４２８を支持板４１０の上下の軸回転支持部４１３、４１４にそれぞれ回転可能に結合させる。これら回転軸４２４、４２８の各コネクター４２４ａ、４２８ａをテレビ装着板４３０の各コネクター連結部４３１、４３２にそれぞれ連結して、テレビジョン装置の左右回転動作を行うための組立が完了する。
【０１２４】
このように組立が完了した状態で、テレビの画面位置について、左右方向の一方に所望の角度をもって回転させようとする場合、例えば、テレビを基準にして、右側に位置している視聴者の方向に画面を回転させようとする場合（図３７参照）、左右回転用モーター４２１、４２５を所望の方向に作動させて、各駆動軸４２１ａ、４２５ａと噛み合っているロッドスクリュー４２２ｂ、４２６ｂを介して、スクリューハウジング４２２ｃを左右回転用モーター４２１の反対側に移動させ、スクリューハウジング４２６ｃを左右回転用モーター４２５側に移動させればよい。つまり、このスクリューハウジング４２２ｃ、４２６ｃの移動に従って、その先端部の連結リンク４２２ａ、４２６ａによって各回転軸４２４、４２８がそれぞれ所定の回転角で軸回転されると共に、これら回転軸４２４、４２８のコネクター４２４ａ、４２８ａが前方に進む方向に回動されて、軸支持部４１５を回転軸にしてテレビ装着板４３０を前方に押し出すようになる。結果的にテレビ画面が右側の視聴者の方向に回転する。
【０１２５】
そして、上記とは逆に、テレビを基準にして、左側に位置している視聴者の方向に画面を回転させようとする場合（図３８参照）には、左右回転用モーター４２１、４２５を所望の方向に作動させて、各駆動軸４２１ａ、４２５ａと噛み合っているロッドスクリュー４２２ｂ、４２６ｂを介して、スクリューハウジング４２２ｃを左右回転用モーター４２１側に移動させ、スクリューハウジング４２６ｃを左右回転用モーター４２５の反対側に移動させればよい。つまり、このスクリューハウジング４２２ｃ、４２６ｃの移動に従って、その先端部の連結リンク４２２ａ、４２６ａによって各回転軸４２４、４２８がそれぞれ所定の回転角で軸回転されると共に、これら回転軸４２４、４２８のコネクター４２４ａ、４２８ａが後方へと後退する方向に回動されて、軸支持部４１５を回転軸にしてテレビ装着板４３０が後方に引き込まれる。結果的にテレビ画面が左側の視聴者の方向に回転する。
【０１２６】
図４０〜図４６に示すように、本発明の第６実施例による壁掛け型テレビの画面位置調節装置は、壁面に設置され、テレビジョン装置（図示しない）を左右回転可能に支持する支持板５１０と、この支持板５１０に設置されるテレビジョン装置を左右に回転させる左右回転部５２０と、前面にテレビジョン装置が装着され、その背面に左右回転部５２０が結合されるテレビ装着板５３０と、を含む構成となっている。
【０１２７】
支持板５１０は、リビングルーム等の壁面に設置され、その前面に左右回転部５２０が結合される板状部材である。より詳細には、左右回転部５２０の左右回転用モーター５２１を固定支持するためのモーター支持ブラケット５１１と、両側部にそれぞれ第１回転軸５２３、第２回転軸５２４が軸回転可能となるように、これら第１回転軸５２３、第２回転軸５２４の上下端部がそれぞれ挿入支持される軸回転支持部５１３、５１４を含む構成となっている。
【０１２８】
そして、支持板５１０は、壁面に固定設置される固定板（図示しない）に対して、上下にスライド可能に結合される昇降板としての機能を有するように、テレビジョン装置を上下方向において昇降調節することもできる。
【０１２９】
符号５１１ａは、左右回転部５２０の作動時に、テレビ装着板５３０が安定的に左右回転されるように、回転支持ピン５３４を安着させるための支持ピン掛け金具を示す。また符号５１５は、図示しない上下ティルティング部の回転軸が支持される軸回転支持部を示す。
【０１３０】
左右回転部５２０は、一部が支持板５１０に結合され、その他の部分がテレビ装着板５３０と結合されて、テレビジョン装置を左右において所望の角度で回転させるために、左右回転用モーター５２１、ギア部５２２、第１回転軸５２３及び第２回転軸５２４、連動リンク５２５を含む構成となっている。
【０１３１】
以下、左右回転部５２０の各構成要素について詳細に説明すると次の通りである。
【０１３２】
左右回転用モーター５２１は、支持板５１０のモーター支持ブラケット５１１に固定設置され、一端部に駆動軸５２１ａが設置されることで、特に、所望の回転角で正逆回転が可能であり、そして駆動軸５２１ａとギア結合されているロッドスクリュー５２２ｂを駆動軸５２１ａに対して直角方向に所望の回転角をもって正逆回転させる。
【０１３３】
ギア部５２２は、左右回転用モーター５２１の駆動軸５２１ａと連結されて、この駆動軸５２１ａの回転によって移動され、その先端部に連結リンク５２２ａが設置されている。これをより詳細に説明すれば、ギア部５２２は駆動軸５２１ａと噛み合って、この駆動軸５２１ａに対して直角方向においてその位置を変えずに回転されるロッドスクリュー５２２ｂ、及びこのロッドスクリュー５２２ｂとねじ結合され、かつロッドスクリュー５２２ｂの回転によって左右に移動されて、連結リンク５２２ａを軸回転させるスクリューハウジング５２２ｃからなっている。
【０１３４】
ここで、駆動軸５２１ａとロッドスクリュー５２２ｂについては、互いに直角方向に回転力が発生するように構成したギアの組み合せとして、例えば、ウォームギア方式等を含む、多様なギアの組み合せが可能である。
【０１３５】
第１回転軸５２３はギア部５２２の連結リンク５２２ａと一体に結合され、支持板５１０の中央を基準にして左側の軸回転支持部５１３に回転可能に設置され、上端部にテレビ装着板５３０と連結されるコネクター５２３ａを備えた棒状となっている。
【０１３６】
ここで、コネクター５２３ａは、┐形状（横倒Ｌ字状）をなしており、左右回転部５２０の中央部へと延びてから、テレビ装着板５３０に向けて屈曲されている。そして、第１回転軸５２３の所定部位の外周面には連動リンク５２５の連結片５２５ｂ一端部が取り囲むようにして一体に結合されている。
【０１３７】
第２回転軸５２４は、支持板５１０の中央を上下に横切る中心線を基準にして、第１回転軸５２３に対して左右対称性をもった形状とされる。即ち、上端部にテレビ装着板５３０と連結されるコネクター５２４ａが設置され、支持板５１０の中央を基準にして第１回転軸５２３とは反対側である支持板５１０の他端側に設けられた軸回転支持部５１４によって回転可能に設置される棒状となっている。
【０１３８】
連動リンク５２５は、第１回転軸５２３、第２回転軸５２４を連結し、これらの回転軸５２３、５２４が互いに連動操作、即ち、第１回転軸５２３が回転された際の回転角に対して、第２回転軸５２４も同じ方向に同じ回転角をもって回転連動するように構成される。特に、連動リンク５２５は、第１回転軸５２３と第２回転軸５２４との離隔距離と同じ長さを有する連結バー５２５ａと、この連結バー５２５ａの両端部からそれぞれ直角に延長され、その一端部がこの連結バー５２５ａとヒンジ連結されると共に、その他端部が第１回転軸５２３、第２回転軸５２４とそれぞれ一体に結合される連結片５２５ｂと、からなっている。
【０１３９】
テレビ装着板５３０は、その前面にテレビジョン装置が装着され、その背面に左右回転部５２０の各コネクター５２３ａ、５２４ａがそれぞれに連結されるコネクター連結部５３１、５３２が形成された板状になっている。
【０１４０】
符号５３３は、図示しない上下ティルティング部のコネクター（図示しない）が連結されるコネクター連結部を示す。また、符号５３４は、モーター支持ブラケット５１１の支持ピン掛け金具５１１ａに安着されて、左右回転部５２０の作動時に、テレビ装着板５３０を安定的に左右回転させるための回転支持ピンを示す。
【０１４１】
このような構成をした、本発明の第６実施例による壁掛け型テレビの画面位置調節装置では、左右回転部５２０の左右回転用モーター５２１を支持板５１０のモーター支持ブラケット５１１に固定設置し、左右回転部５２０の第１回転軸５２３、第２回転軸５２４を支持板５１０の両側の軸回転支持部５１３、５１４にそれぞれ回転可能に結合させる。この第１回転軸５２３、第２回転軸５２４の各コネクター５２３ａ、５２４ａをテレビ装着板５３０の各コネクター連結部５３１、５３２にそれぞれ連結して、テレビジョン装置の左右回転動作を行うための組立が完了する。
【０１４２】
このように組立が完了した状態で、テレビの画面位置について、左右方向の一方に所望の角度をもって回転させようとする場合、例えば、テレビを基準にして、左側に位置している視聴者の方向に画面を回転させようとする場合（図４３参照）には、左右回転用モーター５２１を所望の方向に作動させて、駆動軸５２１ａと噛み合っているロッドスクリュー５２２ｂを介してスクリューハウジング５２２ｃが右側、即ち左右回転用モーター５２１側に移動されるようにすれば、このスクリューハウジング５２２ｃの移動に従って、その先端部の連結リンク５２２ａによって第１回転軸５２３が所定の回転角で図４３の時計回り方向に軸回転されると共に、第１回転軸５２３の上端部のコネクター５２３ａが前方に突き出される方向に回動されて、テレビ装着板５３０を前方に押し出すようになる。これと連動して連動リンク５２５を介して第２回転軸５２４も第１回転軸５２３と同じ方向に軸回転しながら、互いに対称的に配されているコネクター５２４ａが後方へと後退する方向に回動しながら、テレビ装着板５３０を後方に引き込むことになる。結果的にテレビ装着板５３０が左側に傾動されて、テレビ画面が左側の視聴者の方向に回転する。
【０１４３】
そして、上記とは逆に、テレビを基準にして、右側に位置している視聴者の方向に画面を回転させようとする場合（図４４参照）には、左右回転用モーター５２１を所望の方向に作動させて、駆動軸５２１ａと噛み合っているロッドスクリュー５２２ｂを介してスクリューハウジング５２２ｃが左側、即ち左右回転用モーター５２１の反対側に移動されるようにすれば、このスクリューハウジング５２２ｃの移動に従って、その先端部の連結リンク５２２ａによって第１回転軸５２３が所定の回転角で図４４の反時計回り方向に軸回転されると共に、第１回転軸５２３の上端部のコネクター５２３ａが後方へと後退する方向に回動されて、テレビ装着板５３０を後方に引き込むようになる。これと連動して連動リンク５２５を介して第２回転軸５２４も第１回転軸５２３と同じ方向に軸回転しながら、互いに対称的に配されているコネクター５２４ａが前方に突き出される方向に回動されて、テレビ装着板５３０を前方に押し出すことになる。結果的にテレビ装着板５３０が右側に傾動されて、テレビ画面が右側の視聴者の方向に回転する。
【０１４４】
このようなテレビ画面の左右回転操作については、遠隔制御装置（図示しない）を用いた左右回転用モーター５２１の作動制御によって、使用者が所望の方向に所望の回転角で操作することができる。
【図面の簡単な説明】
【０１４５】
【図１】本発明の第１実施例による壁掛け型テレビの画面位置調節装置において支持板を示す概略斜視図である。
【図２】本発明の第１実施例による壁掛け型テレビの画面位置調節装置において要部である左右回転部を示す斜視図である。
【図３】本発明の第１実施例による壁掛け型テレビの画面位置調節装置において支持板と左右回転部との結合状態を示す概略正面図である。
【図４】本発明の第１実施例による壁掛け型テレビの画面位置調節装置を示す概略平面図である。
【図５】本発明の第１実施例による壁掛け型テレビの画面位置調節装置でテレビが右側に回転された傾動状態を示す概略平面図である。
【図６】本発明の第１実施例による壁掛け型テレビの画面位置調節装置でテレビが左側に回転された傾動状態を示す概略平面図である。
【図７】本発明の第１実施例による壁掛け型テレビの画面位置調節装置においてテレビ装着板を示す概略斜視図である。
【図８】本発明の第２実施例による壁掛け型テレビの画面位置調節装置において支持板を示す概略斜視図である。
【図９】本発明の第２実施例による壁掛け型テレビの画面位置調節装置において要部である左右回転部を示す斜視図である。
【図１０】本発明の第２実施例による壁掛け型テレビの画面位置調節装置を示す概略平面図である。
【図１１】本発明の第２実施例による壁掛け型テレビの画面位置調節装置でテレビが右側に回転された傾動状態を示す概略平面図である。
【図１２】本発明の第２実施例による壁掛け型テレビの画面位置調節装置でテレビが左側に回転された傾動状態を示す概略平面図である。
【図１３】本発明の第２実施例による壁掛け型テレビの画面位置調節装置においてテレビ装着板を示す斜視図である。
【図１４】本発明の第２実施例による壁掛け型テレビの画面位置調節装置において支持板と左右回転部との結合状態を示す概略正面図である。
【図１５】本発明の第２実施例による壁掛け型テレビの画面位置調節装置において支持板のヒンジコネクターとテレビ装着板のヒンジ連結部とが結合された状態を示す要部の斜視図である。
【図１６】本発明の第２実施例による壁掛け型テレビの画面位置調節装置において左右回転部のコネクターとテレビ装着板のコネクター連結部とが結合された状態を示す要部の斜視図である。
【図１７】本発明の第３実施例による壁掛け型テレビの画面位置調節装置において支持板を示す概略斜視図である。
【図１８】本発明の第３実施例による壁掛け型テレビの画面位置調節装置において要部である左右回転部を示す斜視図である。
【図１９】本発明の第３実施例による壁掛け型テレビの画面位置調節装置を示す概略平面図である。
【図２０】本発明の第３実施例による壁掛け型テレビの画面位置調節装置でテレビが右側に回転された傾動状態を示す概略平面図である。
【図２１】本発明の第３実施例による壁掛け型テレビの画面位置調節装置でテレビが左側に回転された傾動状態を示す概略平面図である。
【図２２】本発明の第３実施例による壁掛け型テレビの画面位置調節装置においてテレビ装着板を示す斜視図である。
【図２３】本発明の第３実施例による壁掛け型テレビの画面位置調節装置において支持板と左右回転部との結合状態を示す概略正面図である。
【図２４】本発明の第３実施例による壁掛け型テレビの画面位置調節装置において支持板のヒンジコネクターとテレビ装着板のヒンジ連結部とが結合された状態を示す要部の斜視図である。
【図２５】本発明の第３実施例による壁掛け型テレビの画面位置調節装置において左右回転部のコネクターとテレビ装着板のコネクター連結部とが結合された状態を示す要部の斜視図である。
【図２６】本発明の第４実施例による壁掛け型テレビの画面位置調節装置において支持板を示す概略斜視図である。
【図２７】本発明の第４実施例による壁掛け型テレビの画面位置調節装置において要部である左右回転部を示す斜視図である。
【図２８】本発明の第４実施例による壁掛け型テレビの画面位置調節装置において支持板と左右回転部との結合状態を示す概略正面図である。
【図２９】本発明の第４実施例による壁掛け型テレビの画面位置調節装置を示す概略平面図である。
【図３０】本発明の第４実施例による壁掛け型テレビの画面位置調節装置でテレビが右側に回転された傾動状態を示す概略平面図である。
【図３１】本発明の第４実施例による壁掛け型テレビの画面位置調節装置でテレビが左側に回転された傾動状態を示す概略平面図である。
【図３２】本発明の第４実施例による壁掛け型テレビの画面位置調節装置においてテレビ装着板を示す概略斜視図である。
【図３３】本発明の第５実施例による壁掛け型テレビの画面位置調節装置において支持板を示す概略斜視図である。
【図３４】本発明の第５実施例による壁掛け型テレビの画面位置調節装置において要部である左右回転部を示す斜視図である。
【図３５】本発明の第５実施例による壁掛け型テレビの画面位置調節装置において支持板と左右回転部との結合状態を示す概略正面図である。
【図３６】本発明の第５実施例による壁掛け型テレビの画面位置調節装置を示す概略平面図である。
【図３７】本発明の第５実施例による壁掛け型テレビの画面位置調節装置でテレビが右側に回転された傾動状態を示す概略平面図である。
【図３８】本発明の第５実施例による壁掛け型テレビの画面位置調節装置でテレビが左側に回転された傾動状態を示す概略平面図である。
【図３９】本発明の第５実施例による壁掛け型テレビの画面位置調節装置においてテレビ装着板を示す概略斜視図である。
【図４０】本発明の第６実施例による壁掛け型テレビの画面位置調節装置において支持板を示す概略斜視図である。
【図４１】本発明の第６実施例による壁掛け型テレビの画面位置調節装置において要部である左右回転部を示す斜視図である。
【図４２】本発明の第６実施例による壁掛け型テレビの画面位置調節装置を示す概略平面図である。
【図４３】本発明の第６実施例による壁掛け型テレビの画面位置調節装置でテレビが図における右側の視聴者の方向に回転された傾動状態を示す概略平面図である。
【図４４】本発明の第６実施例による壁掛け型テレビの画面位置調節装置でテレビが図における左側の視聴者の方向に回転された傾動状態を示す概略平面図である。
【図４５】本発明の第６実施例による壁掛け型テレビの画面位置調節装置においてテレビ装着板を示す概略斜視図である。
【図４６】本発明の第６実施例による壁掛け型テレビの画面位置調節装置において左右回転部のコネクターとテレビ装着板のコネクター連結部とが結合された状態を示す概路図である。
【符号の説明】
【０１４６】
１０  支持板
１１ａ、１１ｂ  ギアボックス支持棒
１３  軸回転支持部
１４  軸回転支持部
１５  貫通孔
２０  左右回転部
２１  左右回転用モーター
２１ａ、２１ｂ  駆動軸
２２  ギア部
２２ａ  連結リンク
２２ｂ  ロッドスクリュー
２２ｃ  スクリューハウジング
２２ｄ  ギアボックス
２３  ギア部
２３ａ  連結リンク
２３ｂ  ロッドスクリュー
２３ｃ  スクリューハウジング
２３ｄ  ギアボックス
２４  第１回転軸
２４ａ  コネクター
２５  第２回転軸
２５ａ  コネクター
３０  テレビ装着板
３１  コネクター連結部
３２  コネクター連結部
４０  締結具
１１０  支持板
１１１  ヒンジコネクター
１１２  モーター支持ブラケット
１１２ａ  支持ピン掛け金具
１１３ａ、１１３ｂ  ギアボックス支持棒
１１４  軸回転支持部
１１５  軸回転支持部
１２０  左右回転部
１２１  左右回転用モーター
１２１ａ、１２１ｂ  駆動軸
１２２  ギア部
１２２ａ  連結リンク
１２２ｂ  ロッドスクリュー
１２２ｃ  スクリューハウジング
１２２ｄ  ギアボックス
１２３  ギア部
１２３ａ  連結リンク
１２３ｂ  ロッドスクリュー
１２３ｃ  スクリューハウジング
１２３ｄ  ギアボックス
１２４  第１回転軸
１２４ａ  コネクター
１２５  第２回転軸
１２５ａ  コネクター
１３０  テレビ装着板
１３１  コネクター連結部
１３２  コネクター連結部
１３３  ヒンジ連結部
１３３ａ  ガイドソケット
１３４  回転支持ピン
１４０  上下ティルティング部
２１０  支持板
２１１  ヒンジコネクター
２１２  モーター支持ブラケット
２１２ａ  支持ピン掛け金具
２１３ａ、２１３ｂ  ギアボックス支持棒
２１４  軸回転支持部
２１５  軸回転支持部
２２０  左右回転部
２２１、２２１´  左右回転用モーター
２２１ａ、２２１ａ´  駆動軸
２２２  ギア部
２２２ａ  連結リンク
２２２ｂ  ロッドスクリュー
２２２ｃ  スクリューハウジング
２２２ｄ  ギアボックス
２２３  ギア部
２２３ａ  連結リンク
２２３ｂ  ロッドスクリュー
２２３ｃ  スクリューハウジング
２２３ｄ  ギアボックス
２２４  第１回転軸
２２４ａ  コネクター
２２５  第２回転軸
２２５ａ  コネクター
２３０  テレビ装着板
２３１  コネクター連結部
２３２  コネクター連結部
２３３  ヒンジ連結部
２３３ａ  ガイドソケット
２３４  回転支持ピン
２４０  上下ティルティング部
３１０  支持板
３１０ａ、３１０ｂ、３１０ｃ、３１０ｄ  ギアボックス支持棒
３１１、３１２、３１３、３１４  軸回転支持部
３１５  貫通孔
３２０  左右回転部
３２１、３２２、３２３、３２４  左右回転用モーター
３２１ａ、３２２ａ、３２３ａ、３２４ａ  駆動軸
３２１ｂ、３２２ｂ、３２３ｂ、３２４ｂ  ギア部
３２１ｂ１、３２２ｂ１、３２３ｂ１、３２４ｂ１  連結リンク
３２１ｂ２、３２２ｂ２、３２３ｂ２、３２４ｂ２  ロッドスクリュー
３２１ｂ３、３２２ｂ３、３２３ｂ３、３２４ｂ３  スクリューハウジング
３２１ｂ４、３２２ｂ４、３２３ｂ４、３２４ｂ４  ギアボックス
３２１ｃ、３２２ｃ、３２３ｃ、３２４ｃ  回転軸
３２１ｄ、３２２ｄ、３２３ｄ、３２４ｄ  コネクター
３３０  テレビ装着板
３３１、３３２、３３３、３３４  コネクター連結部
４１０  支持板
４１１ａ、４１１ｂ  ギアボックス支持棒
４１３、４１４  軸回転支持部
４１５  軸支持部
４１６  貫通孔
４２０  左右回転部
４２１、４２５  左右回転用モーター
４２１ａ、４２５ａ  駆動軸
４２２、４２６  ギア部
４２２ａ、４２６ａ  連結リンク
４２２ｂ、４２６ｂ  ロッドスクリュー
４２２ｃ、４２６ｃ  スクリューハウジング
４２２ｄ、４２６ｄ  ギアボックス
４２４、４２８  回転軸
４２４ａ、４２８ａ  コネクター
４３０  テレビ装着板
４３１、４３２  コネクター連結部
４３３  ヒンジ連結部
４４０  上下ティルティング部
５１０  支持板  
５１１  モーター支持ブラケット
５１１ａ  支持片掛け金具
５１３  軸回転支持部
５１４  軸回転支持部
５１５  軸回転支持部
５２０  左右回転部
５２１  左右回転用モーター
５２１ａ  駆動軸
５２２  ギア部
５２２ａ  連結リンク
５２２ｂ  ロッドスクリュー
５２２ｃ  スクリューハウジング
５２３  第１回転軸
５２３ａ  コネクター
５２４  第２回転軸
５２４ａ  コネクター
５２５  連動リンク
５２５ａ  連結バー
５２５ｂ  連結片
５３０  テレビ装着板
５３１  コネクター連結部
５３２  コネクター連結部
５３３  コネクター連結部
５３４  回転支持ピン
【図１】
2007267383.tif 000003
【図２】
2007267383.tif 000004
【図３】
2007267383.tif 000005
【図４】
2007267383.tif 000006
【図５】
2007267383.tif 000007
【図６】
2007267383.tif 000008
【図７】
2007267383.tif 000009
【図８】
2007267383.tif 000010
【図９】
2007267383.tif 000011
【図１０】
2007267383.tif 000012
【図１１】
2007267383.tif 000013
【図１２】
2007267383.tif 000014
【図１３】
2007267383.tif 000015
【図１４】
2007267383.tif 000016
【図１５】
2007267383.tif 000017
【図１６】
2007267383.tif 000018
【図１７】
2007267383.tif 000019
【図１８】
2007267383.tif 000020
【図１９】
2007267383.tif 000021
【図２０】
2007267383.tif 000022
【図２１】
2007267383.tif 000023
【図２２】
2007267383.tif 000024
【図２３】
2007267383.tif 000025
【図２４】
2007267383.tif 000026
【図２５】
2007267383.tif 000027
【図２６】
2007267383.tif 000028
【図２７】
2007267383.tif 000029
【図２８】
2007267383.tif 000030
【図２９】
2007267383.tif 000031
【図３０】
2007267383.tif 000032
【図３１】
2007267383.tif 000033
【図３２】
2007267383.tif 000034
【図３３】
2007267383.tif 000035
【図３４】
2007267383.tif 000036
【図３５】
2007267383.tif 000037
【図３６】
2007267383.tif 000038
【図３７】
2007267383.tif 000039
【図３８】
2007267383.tif 000040
【図３９】
2007267383.tif 000041
【図４０】
2007267383.tif 000042
【図４１】
2007267383.tif 000043
【図４２】
2007267383.tif 000044
【図４３】
2007267383.tif 000045
【図４４】
2007267383.tif 000046
【図４５】
2007267383.tif 000047
【図４６】
2007267383.tif 000048